(57)【要約】      （修正有）【課題】白浮き現象を抑制可能な表示装置を提供する。【解決手段】制御部１５が、後サブフレームの期間と前サブフレームの期間との比を、１：３〜１：７とするようにフレームを分割する。フレームの分割点は、後サブフレームおよび前サブフレームの双方で、実際明度と予定明度とのズレを最小とできる点である。そして、通常ホールド表示では、実際明度と予定明度とのズレは、フレームを１：３〜１：７に分割する点で最も大きくなる。従って、通常ホールド表示でズレの最も大きくなる点でフレームを分割することによって、この点でのズレを最小にできる。これにより、通常ホールド表示を行う構成に比して、１フレームでのズレを約半分に減らせるため、このズレに起因する白浮き現象を抑制できるようになっている。【選択図】図１
2005234552.tif 000002
【特許請求の範囲】
【請求項１】
１フレームを、第１および第２サブフレームからなる２つのサブフレームに分割して画像表示を行う表示装置において、
入力された表示信号の輝度階調に基づいた輝度の画像を表示する表示部と、
１フレームに表示部から出力される輝度の総和をフレームの分割によって変えないように、第１および第２サブフレームの表示信号である第１および第２表示信号を生成し、表示部に出力する制御部とを備えており、
この制御部が、
低明度の画像を表示する場合に、第１表示信号の輝度階調を調整する一方、第２表示信号の輝度階調を最小または第１所定値より小さい値とし、
高明度の画像を表示する場合に、第１表示信号の輝度階調を最大または第２所定値より大きい値とする一方、第２表示信号の輝度階調を調整し、
第１サブフレームの期間と第２サブフレームの期間との比を、１：ｎあるいはｎ：１（ｎは１より大きい実数）に設定することを特徴とする表示装置。
【請求項２】
上記のｎが７以下の範囲にあることを特徴とする請求項１に記載の表示装置。
【請求項３】
上記の第２所定値が最大階調の８０％である、請求項１に記載の表示装置。
【請求項４】
上記の第１所定値が最大階調の０．０２％である、請求項１に記載の表示装置。
【請求項５】
上記制御部は、
１フレームで表示される輝度の最大値Ｌｍａｘ、および、所定値γに基づいて、
Ｌｔ＝（１／（ｎ＋１））＾（１／γ）×Ｌｍａｘ
なるＬｔを求め、
通常ホールド表示を行う場合の表示信号の輝度階調であるフレーム階調ＬがＬｔ以下であるか否かを判断し、
フレーム階調ＬがＬｔ以下である場合、第２表示信号の輝度階調Ｆを最小（０）とする一方、第１表示信号の輝度階調Ｒを、
Ｒ＝（１／（ｎ＋１））＾（１／γ）×Ｌ
となるように設定し、
また、フレーム階調ＬがＬｔより大きい場合、第１表示信号の輝度階調Ｒを最大とする一方、第２表示信号の輝度階調Ｆを、
Ｆ＝（（Ｌ＾γ−（１／（ｎ＋１））×Ｌｍａｘ＾γ））＾（１／γ）
となるように設定することを特徴とする請求項１に記載の表示装置。
【請求項６】
上記制御部は、第１表示信号と第２表示信号とを、１／（ｎ＋１）周期の差をもって、表示部に交互に出力するように設計されていることを特徴とする請求項１に記載の表示装置。
【請求項７】
上記表示部が液晶パネルによって画像を表示するように設定されていることを特徴とする請求項１に記載の表示装置。
【請求項８】
上記液晶パネルがＶＡモードであることを特徴とする請求項７に記載の表示装置。
【請求項９】
上記液晶パネルが、ノーマリーブラックであることを特徴とする請求項７に記載の表示装置。
【請求項１０】
上記制御部は、液晶パネルの液晶応答速度が、以下の(c)(d)の条件を満足しているか否かを判断し、満足していない場合には、通常ホールド表示を行うように設計されていることを特徴とする請求項７に記載の表示装置。
(c)最小明度を表示している液晶に最大明度となるための電圧信号を与えたときに、第１サブフレーム期間内で、液晶の電圧が、電圧信号の電圧における９０％以上の値に到達する。
(d)最大明度を表示している液晶に最小明度となるための電圧信号を与えたときに、第１サブフレーム期間内で、液晶の電圧が、電圧信号の電圧における５％以下の値に到達する。
【請求項１１】
上記制御部は、液晶に印加する電圧極性を、
第１サブフレームと第２サブフレームとで等しくする一方、
隣接するフレーム間で反転するように設計されていることを特徴とする請求項７に記載の表示装置。
【請求項１２】
上記制御部は、液晶に印加する電圧極性を、
１フレーム内の２つのサブフレーム間で反転させる一方、
１フレームの第１サブフレームと、この第１サブフレームに隣接する他のフレームの第２サブフレームとで等しくするように設計されていることを特徴とする請求項７に記載の表示装置。
【請求項１３】
上記制御部は、外部から入力される画像信号、および、画像信号と表示信号との対応表を利用して、表示信号を生成するように設定されており、
さらに、上記の対応表が、互いに異なる温度範囲に応じて複数備えられており、
制御部が、環境温度に応じた対応表を選択して使用するように設計されていることを特徴とする請求項１に記載の表示装置。
【請求項１４】
上記制御部は、液晶に印加する電圧極性を、フレーム周期で反転するように設計されていることを特徴とする請求項７に記載の表示装置。
【請求項１５】
１フレームを、ｍ個（ｍ；２以上の整数）のサブフレームに分割して画像表示を行う表示装置において、
入力された表示信号の輝度階調に基づいた輝度の画像を表示する表示部と、
１フレームに表示部から出力される輝度の総和をフレームの分割によって変えないように、第１〜第ｍサブフレームの表示信号である第１〜第ｍ表示信号を生成し、表示部に出力する制御部とを備えており、
上記の表示部の画素は、表示信号の電圧に応じて輝度が変化するものであり、
各画素が、同一のソースラインおよびゲートラインに接続された第１副画素および第２副画素を有しており、
制御部が、少なくとも１つの表示信号電圧に対して、第１副画素を第１輝度とする一方、第２副画素を、第１輝度とは異なる第２輝度とするように設計されていることを特徴とする表示装置。
【請求項１６】
上記のｍが２であることを特徴とする、請求項１５に記載の表示装置。
【請求項１７】
第１サブフレームの期間と第２サブフレームの期間との比を、１：ｎあるいはｎ：１（ｎは１より大きい実数）に設定することを特徴とする請求項１６に記載の表示装置。
【請求項１８】
上記制御部は、両副画素から出力される輝度の総和が表示信号に応じた輝度となるように、各副画素の輝度階調を設定することを特徴とする請求項１５に記載の表示装置。
【請求項１９】
各副画素が、
互いに異なる補助線に接続されているとともに、
画素容量と、
ゲートラインがＯＮ状態となったときに、ソースラインに印加された表示信号を画素容量に印加するスイッチ素子と、
画素容量と補助線とに接続された補助容量とを備えており、
上記の制御部が、各副画素に接続された補助線に流れる補助信号を互いに異なる状態をとすることで、各副画素の画素容量に印加される電圧に差をつけることを特徴とする請求項１５に記載の表示装置。
【請求項２０】
上記表示部が液晶パネルによって画像を表示するものであり、
制御部は、各副画素の液晶に印加する電圧極性を、フレーム周期で反転させるように設計されていることを特徴とする請求項１５に記載の表示装置。
【請求項２１】
上記の制御部が、補助信号の位相をフレーム周期で反転させるように設計されていることを特徴とする請求項２０に記載の表示装置。
【請求項２２】
１フレームを、ｍ個（ｍ；２以上の整数）のサブフレームに分割して画像表示を行う表示装置において、
入力された表示信号の輝度階調に基づいた輝度の画像を表示する表示部と、
１フレームに表示部から出力される輝度の総和をフレームの分割によって変えないように、第１〜第ｍサブフレームの表示信号である第１〜第ｍ表示信号を生成し、表示部に出力する制御部とを備えており、
上記表示部が、液晶パネルによって画像を表示するように設定されているとともに、
上記制御部は、液晶に印加する電圧極性を、フレーム周期で反転させるように設計されていることを特徴とする表示装置。
【請求項２３】
上記制御部は、液晶に印加する電圧極性を、
フレーム内で等しくする一方、
隣接するフレーム間で反転するように設計されていることを特徴とする請求項２２に記載の表示装置。
【請求項２４】
上記制御部は、液晶に印加する電圧極性を、
２つのフレーム間で隣接する２つのサブフレームで等しくするように設計されていることを特徴とする請求項２２に記載の表示装置。
【請求項２５】
上記制御部は、液晶に印加する電圧極性を、フレーム内で反転するように設計されていることを特徴とする請求項２２記載の表示装置。
【請求項２６】
１フレームを、第１および第２サブフレームからなる２つのサブフレームに分割して画像表示を行う表示装置において、
入力された表示信号の輝度階調に基づいた輝度の画像を表示する表示部と、
１フレームに表示部から出力される輝度の総和をフレームの分割によって変えないように、第１サブフレームの表示信号である第１表示信号と、第２サブフレームの表示信号である第２表示信号とを生成し、２倍のクロックで表示部に出力する制御部とを備えており、
この制御部が、
低明度の画像を表示する場合に、第１表示信号の輝度階調を調整する一方、第２表示信号の輝度階調を最小とし、
高明度の画像を表示する場合に、第１表示信号の輝度階調を最大とする一方、第２表示信号の輝度階調を調整し、
さらに、第１サブフレームの期間と第２サブフレームの期間との比を、１：ｎあるいはｎ：１（ｎは１以上の自然数）とするようにフレームを分割するように設定されていることを特徴とする表示装置。
【請求項２７】
上記ｎが３〜７の範囲の自然数であることを特徴とする請求項２６に記載の表示装置。
【請求項２８】
表示部が液晶パネルとなっている請求項１，１５，２２，２６のいずれかに記載の表示装置と、
外部から入力された画像信号を制御部に伝達するための信号入力部とを備え、
表示装置の制御部が、この画像信号に基づいて表示信号を生成するように設計されていることを特徴とする液晶モニター。
【請求項２９】
表示部が液晶パネルとなっている請求項１，１５，２２，２６のいずれかに記載の表示装置と、
テレビ放送信号のチャネルを選択し、選択されたチャネルのテレビ画像信号を制御部に伝達するためのチューナ部とを備え、
表示装置の制御部が、このテレビ画像信号に基づいて表示信号を生成するように設計されていることを特徴とする液晶テレビジョン受像機。
【請求項３０】
１フレームを、第１および第２サブフレームからなる２つのサブフレームに分割して画像表示を行う表示方法において、
１フレームに表示部から出力される輝度の総和をフレームの分割によって変えないように、第１および第２サブフレームの表示信号である第１および第２表示信号を生成し、表示部に出力する出力工程を含み、
この出力工程が、
低明度の画像を表示する場合に、第１表示信号の輝度階調を調整する一方、第２表示信号の輝度階調を最小または第１所定値より小さい値とし、
高明度の画像を表示する場合に、第１表示信号の輝度階調を最大または第２所定値より大きい値とする一方、第２表示信号の輝度階調を調整し、
第１サブフレームの期間と第２サブフレームの期間との比を、１：ｎあるいはｎ：１（ｎは１より大きい実数）とするように設定されていることを特徴とする表示方法。
【請求項３１】
１フレームを、ｍ個（ｍ；２以上の整数）のサブフレームに分割して画像表示を行う表示方法において、
１フレームに表示部から出力される輝度の総和をフレームの分割によって変えないように、第１〜第ｍサブフレームの表示信号である第１〜第ｍ表示信号を生成し、表示部に出力する出力工程を含み、
上記の表示部の画素は、表示信号の電圧に応じて輝度が変化するものであり、
各画素が、同一のソースラインおよびゲートラインに接続された第１副画素および第２副画素を有しており、
上記の出力工程が、少なくとも１つの表示信号電圧に対して、第１副画素を第１輝度とする一方、第２副画素を、第１輝度とは異なる第２輝度とするように設定されていることを特徴とする表示方法。
【請求項３２】
１フレームを、ｍ個（ｍ；２以上の整数）のサブフレームに分割して画像表示を行う表示方法において、
１フレームに表示部から出力される輝度の総和をフレームの分割によって変えないように、第１〜第ｍサブフレームの表示信号である第１〜第ｍ表示信号を生成し、表示部に出力する出力工程を含み、
上記表示部が、液晶パネルによって画像を表示するように設定されているとともに、
上記出力工程は、液晶に印加する電圧極性を、フレーム周期で反転させるようになっていることを特徴とする表示方法。
【請求項３３】
１フレームを、第１および第２サブフレームからなる２つのサブフレームに分割して画像表示を行う表示方法において、
１フレームに表示部から出力される輝度の総和をフレームの分割によって変えないように、第１サブフレームの表示信号である第１表示信号と、第２サブフレームの表示信号である第２表示信号とを生成し、２倍のクロックで表示部に出力する出力工程を含み、
この出力工程が、
低明度の画像を表示する場合に、第１表示信号の輝度階調を調整する一方、第２表示信号の輝度階調を最小とし、
高明度の画像を表示する場合に、第１表示信号の輝度階調を最大とする一方、第２表示信号の輝度階調を調整し、
さらに、第１サブフレームの期間と第２サブフレームの期間との比を、１：ｎあるいはｎ：１（ｎは１以上の自然数）とするようにフレームを分割するように設定されていることを特徴とする表示方法。
【請求項３４】
上記のｎを、３〜７の範囲の自然数とすることを特徴とする請求項３３に記載の表示方法。
【請求項３５】
表示装置の駆動方法であって、
画像信号の階調レベルを供給する工程と、
この画像信号を上記階調レベルで表示する工程とを含み、
画像信号のフレームが複数のサブフレームからなり、
少なくとも２つのサブフレームの期間が互いに異なっていることを特徴とする表示装置の駆動方法。
【請求項３６】
上記の画像信号が、液晶表示装置によって表示されることを特徴とする請求項３５に記載の表示装置の駆動方法。
【請求項３７】
上記複数のサブフレームは、最大あるいは第２所定値より大きい階調レベルに応じた少なくとも１つのサブフレーム、および、最小あるいは第１所定値より小さい階調レベルに応じた少なくとも１つのサブフレームを含んでいることを特徴とする請求項３５あるいは３６に記載の表示装置の駆動方法。
【請求項３８】
画像信号の画像を表示する装置において、
画像信号の階調レベルを供給するように設定された制御部と、
供給された階調レベルで画像信号を表示するように設定された表示部とを備え、
画像信号のフレームが複数のサブフレームからなり、
少なくとも２つのサブフレームの期間が互いに異なっていることを特徴とする装置。
【請求項３９】
上記複数のサブフレームは、最大あるいは第２所定値より大きい階調レベルに応じた少なくとも１つのサブフレーム、および、最小あるいは第１所定値より小さい階調レベルに応じた少なくとも１つのサブフレームを含んでいることを特徴とする請求項３８に記載の装置。
【請求項４０】
表示装置の駆動方法であって、
フレームが複数のサブフレームに分割されており、少なくとも２つのサブフレームの期間が互いに異なっている画像信号の階調レベルを供給する工程と、
供給された画像信号の極性を、フレーム周期で反転する工程と、
画像信号の極性がどのような状態にあっても、供給された階調レベルで画像信号を表示する工程と、
を含んでいることを特徴とする表示装置の駆動方法。
【請求項４１】
上記の画像信号が、液晶表示装置によって表示されることを特徴とする請求項４０に記載の表示装置の駆動方法。
【請求項４２】
上記複数のサブフレームは、最大あるいは第２所定値より大きい階調レベルに応じた少なくとも１つのサブフレーム、および、最小あるいは第１所定値より小さい階調レベルに応じた少なくとも１つのサブフレームを含んでいることを特徴とする請求項４０あるいは４１に記載の表示装置の駆動方法。
【請求項４３】
各画素が２つ以上の副画素からなる画素分割駆動システムにおいて使用されることを特徴とする請求項４０に記載の表示装置の駆動方法。
【請求項４４】
副画素の１つが比較的に暗く、副画素の１つが比較的に明るくなっていることを特徴とする請求項４３に記載の表示装置の駆動方法。
【請求項４５】
画像信号の画像を表示する装置において、
フレームが複数のサブフレームに分割されており、少なくとも２つのサブフレームの期間が互いに異なっている画像信号の階調レベルを供給するように設定された制御部と、
供給された画像信号の極性を、フレーム周期で反転するように設定されているとともに、
画像信号の極性がどのような状態にあっても、供給された階調レベルで画像信号を表示する表示部とを有することを特徴とする装置。
【請求項４６】
上記複数のサブフレームは、最大あるいは第２所定値より大きい階調レベルに応じた少なくとも１つのサブフレーム、および、最小あるいは第１所定値より小さい階調レベルに応じた少なくとも１つのサブフレームを含んでいることを特徴とする請求項４５に記載の装置。
【請求項４７】
上記表示部は、各画素が少なくとも２つの副画素を有する副画素構造を含んでいることを特徴とする請求項４５に記載の装置。
【請求項４８】
副画素の１つが比較的に暗く、副画素の１つが比較的に明るくなっていることを特徴とする請求項４７に記載の装置。
【請求項４９】
表示装置の駆動方法であって、
フレームが複数のサブフレームに分割された画像信号の階調レベルを供給する工程と、
各画素が少なくとも２つの副画素を有する副画素構造を含んでいる画像表示部によって、供給された階調レベルで画像信号を表示する工程とを含み、
補助信号の位相が画像信号の極性に応じて変化し、
これらの位相および極性が、フレーム周期で反転することを特徴とする表示装置の駆動方法。
【請求項５０】
上記の画像信号が、液晶表示装置によって表示されることを特徴とする請求項４９に記載の表示装置の駆動方法。
【請求項５１】
上記複数のサブフレームは、最大あるいは第２所定値より大きい階調レベルに応じた少なくとも１つのサブフレーム、および、最小あるいは第１所定値より小さい階調レベルに応じた少なくとも１つのサブフレームを含んでいることを特徴とする請求項４９あるいは５０に記載の表示装置の駆動方法。
【請求項５２】
副画素の１つが比較的に暗く、副画素の１つが比較的に明るくなっていることを特徴とする請求項４９に記載の表示装置の駆動方法。
【請求項５３】
少なくとも２つのサブフレームの周期が互いに異なっていることを特徴とする請求項４９に記載の表示装置の駆動方法。
【請求項５４】
画像信号の画像を表示する装置において、
フレームが複数のサブフレームに分割された画像信号の階調レベルを供給する制御部と、
各画素が少なくとも２つの副画素を有する副画素構造を有し、供給された階調レベルで画像信号を表示する表示部とを含み、
供給された画像信号の極性に応じて、補助的に供給された信号の位相が変化し、
これらの位相および極性が、フレーム周期で反転することを特徴とする装置。
【請求項５５】
上記複数のサブフレームは、最大あるいは第２所定値より大きい階調レベルに応じた少なくとも１つのサブフレーム、および、最小あるいは第１所定値より小さい階調レベルに応じた少なくとも１つのサブフレームを含んでいることを特徴とする請求項５４に記載の装置。
【請求項５６】
副画素の１つが比較的に暗く、副画素の１つが比較的に明るくなっていることを特徴とする請求項５４に記載の装置。
【請求項５７】
少なくとも２つのサブフレームの周期が互いに異なっていることを特徴とする請求項５４に記載の装置。
【発明の詳細な説明】
【技術分野】
【０００１】
本発明は、１フレームを、第１および第２サブフレームからなる２つのサブフレームに分割して画像表示を行う表示装置に関するものである。
【背景技術】
【０００２】
近年、ＣＲＴ(陰極線管)が用いられていた分野で、液晶表示装置、特にＴＮ(Twisted Nematic)型の液晶表示パネル（ＴＮモードの液晶パネル；ＴＮパネル）を有するカラー液晶表示装置が多く用いられるようになってきている。
例えば、特許文献１には、表示する画像が動画像であるか静止画像であるかによってＴＮパネルの駆動方法を切り替える、液晶表示装置が開示されている。
【０００３】
ところで、このようなＴＮパネルでは、ＣＲＴに比して、視野角特性にやや問題がある。
このため、視線角度（パネルを見る角度；パネルの法線方向と、パネルを見る方向とのなす角度）の増加に応じて階調特性が変わり、階調反転してしまう角度も存在する。
【０００４】
そこで、従来、光学フィルムを用いて視野角特性の改善する技術や、表示方法に工夫を凝らすことで階調反転を抑制する記述が開発されている。
例えば、特許文献２および３では、１フレームを分割して１画素に複数回信号書込みを行う、またその信号書込み電圧レベルを組み合わせて改善する方法がある。
【０００５】
また、ＴＶ（テレビジョン受像機）などの広視野角を必要とする液晶表示パネルでは、ＴＮモードではなく、ＩＰＳ（In-Plane- Switching）モードやＶＡ（Vertical Alignment）モードなどの液晶を用いることによって、広視野角化を図っている。
例えば、ＶＡモードの液晶パネル（ＶＡパネル）では、上下左右１７０°の範囲でコントラストが１０以上となり、階調反転もなくなっている。
【特許文献１】特開２００２−２３７０７号公報（公開日；２００２年１月２５日）
【特許文献２】特開平５−６８２２１号公報（発行日；１９９３年３月１９日）
【特許文献３】特開２００１−２９６８４１号公報（公開日；２００１年１０月２６日）
【特許文献４】特開２００４−７８１５７号公報（公開日；２００４年３月１１日）
【特許文献５】特開２００３−２９５１６０号公報（公開日；２００３年１０月１５日）
【特許文献６】特開２００４−６２１４６号公報（公開日；２００４年２月２６日）
【特許文献７】特開２００４−２５８１３９号公報（公開日；２００４年９月１６日）
【非特許文献１】新編  色彩科学ハンドブック；第２版（東京大学出版会；公開日；１９９８年６月１０日）
【発明の開示】
【発明が解決しようとする課題】
【０００６】
しかしながら、広視野角といわれているＶＡパネルでも、視野角度による階調特性の変化を完全になくすことはできず、例えば左右方向の視野角度が大きくなると階調特性が悪化する。
【０００７】
すなわち、図２に示すように、視野角度が６０度となると、正面からパネルを望む場合（視野角度０度）に対し、階調γ特性が変わり、中間調の輝度が明るくなる白浮き現象が起こってしまう。
【０００８】
また、ＩＰＳモードの液晶パネルに関しても、光学フィルムなどの光学特性の設計にもよるが、程度の大小はあれ、視野角度の増加に応じて階調特性の変化が起こる。
【０００９】
本発明は、上記のような従来の問題点に鑑みてなされたものである。そして、その目的は、白浮き現象を抑制可能な表示装置を提供することにある。
【課題を解決するための手段】
【００１０】
上記の目的を達成するために、本発明の表示装置（本表示装置）は、
１フレームを、ｍ個（ｍ；２以上の整数）のサブフレームに分割して画像表示を行う表示装置において、
入力された表示信号の輝度階調に基づいた輝度の画像を表示する表示部と、
１フレームに表示部から出力される輝度の総和をフレームの分割によって変えないように、第１〜第ｍサブフレームの表示信号である第１〜第ｍ表示信号を生成し、表示部に出力する制御部とを備えており、
この制御部が、第１〜第ｍ表示信号の少なくとも１つの輝度階調を「最小または第１所定値より小さい値」あるいは「最大または第２所定値より大きい値」とする一方、他の表示信号の輝度階調を調整することで画像を表示するように設計されていることを特徴としている。
【００１１】
本表示装置は、液晶パネルなどの表示画面を備えた表示部を用いて画像を表示するものである。
そして、本表示装置は、制御部が、サブフレーム表示によって表示部を駆動するようになっている。ここで、サブフレーム表示とは、１つのフレームを複数（本表示装置ではｍ個）のサブフレーム（第１〜第ｍサブフレーム）に分けて行う表示方法である。
【００１２】
すなわち、制御部は、１フレーム期間に、表示部に対して、表示信号をｍ回出力する（第１〜第ｍサブフレームの表示信号である第１〜第ｍ表示信号を順に出力する）。
これにより、制御部は、各サブフレーム期間で、表示部の表示画面の全ゲートラインを１回づつＯＮとする（１フレームにｍ回ＯＮとする）こととなる。
【００１３】
また、制御部は、表示信号の出力周波数（クロック）を、通常ホールド表示時のｍ倍（ｍ倍クロック）とするようになっていることが好ましい。
なお、通常ホールド表示とは、フレームをサブフレームに分割せずに行う通常の表示（１フレーム期間で、表示画面の全ゲートラインを１回だけＯＮとする表示）のことである。
【００１４】
また、表示部（表示画面）は、制御部から入力された表示信号の輝度階調に基づいた輝度の画像を表示するように設計されている。
そして、制御部は、フレームを分割することによって、１フレームに画面から出力される輝度の総和（全輝度）を変えないように、第１〜第ｍ表示信号を生成する（これらの表示信号の輝度階調を設定する）ようになっている。
【００１５】
また、通常、表示部の表示画面は、輝度階調を「最小または第１所定値より小さい値」あるいは「最大または第２所定値より大きい値」とする場合に、大きな視野角度での実際明度と予定明度とのズレ（明度ズレ）を十分に小さくなる。
ここで、輝度階調を最小あるいは最大とする場合に、明度ズレを最も小さくできることは当然である。しかしながら、実質的には、輝度階調を最小・最大に近づけるだけでも（例えば最大の０．０２％以下、あるいは８０％以上としても）、同等の効果を得られることがわかっている。
【００１６】
ここで、明度とは、表示される画像の輝度に応じた、人間の感じる明るさの度合いである（後述する実施形態における（５）（６）式参照）。なお、１フレームで出力される輝度の総和が不変の場合、同じく１フレームで出力される明度の総和も変わらない。
【００１７】
また、予定明度とは、表示画面で表示されるはずの明度（表示信号の輝度階調に応じた値）のことである。
また、実際明度とは、画面で実際に表示された明度のことであり、視野角度に応じて変化する値である。画面の正面では、これら実際明度と予定明度とは等しくなり、明度ズレはない。一方、視野角を大きくするにつれて、明度ズレも大きくなる。
【００１８】
そして、本表示装置では、画像を表示する際、制御部が、第１〜第ｍ表示信号の少なくとも１つの輝度階調を「最小または第１所定値より小さい値」あるいは「最大または第２所定値より大きい値」とする一方、他の表示信号の輝度階調を調整することで階調表現を行う。
従って、少なくとも１つのサブフレームでの明度ズレを十分に小さくできる。これにより、本表示装置では、通常ホールド表示を行う場合に比して、明度ズレを小さく抑えられるので、視野角特性を向上させることが可能となる。このため、白浮き現象を良好に抑制できる。
【００１９】
また、通常、表示部の表示画面は、画像の明度（および輝度）が最小あるいは最大の場合に、大きな視野角度での実際明度と予定明度とのズレを最小（０）にできる。従って、制御部は、第１〜第ｍ表示信号の少なくとも１つの輝度階調を最小あるいは最大とする一方、他の表示信号の輝度階調を調整することで階調表現を行うことが好ましい。
これにより、少なくとも１つのサブフレームでの明度ズレを最小にできるため、視野角特性をさらに向上させられる。
【００２０】
また、本表示装置では、制御部は、第１〜第ｍ表示信号におけるｍ−１個の表示信号の輝度階調を「最小または第１所定値より小さい値」あるいは「最大または第２所定値より大きい値」とする一方、１つの表示信号の輝度階調を調整することで画像を表示するように設計されていることが好ましい。
この場合には、ｍ−１個のサブフレームでの明度ズレを十分に小さくできる。これにより、本表示装置では、通常ホールド表示を行う場合に比して、明度ズレを非常に小さく抑えられるので、視野角特性を大きく向上させられる。
【００２１】
ここで、上記のｍを２とする場合（１フレームを２つのサブフレーム（第１および第２サブフレーム）に分割する場合）、制御部は、表示信号を２つだけ（第１および第２表示信号）作ればよい。従って、制御部の負担を軽減できる。
【００２２】
ここで、表示部の表示画面を液晶パネルから構成した場合、液晶の電圧を表示信号に応じた値とするまでに、液晶の応答速度に応じた時間がかかる。従って、サブフレームの数を増やしすぎると、各サブフレームの期間が短くなりすぎて、この期間内に、液晶の電圧を表示信号に応じた値にまで上げられない可能性がある。従って、ｍを２とする場合、応答速度の遅い液晶を用いても、適切な表示を行える。
【００２３】
また、この場合、第１サブフレームの期間と第２サブフレームの期間との比については、どのように設定してもよい。すなわち、これらの期間の比を１：ｎあるいはｎ：１とする場合、ｎは１以上の（好ましくは１より大きい）どんな実数であってもよい。
【００２４】
しかし、このｎについては、後述するが人間の視覚特性を考慮した場合、７以下とすることが好ましい。特に、表示部の表示画面を液晶パネルから構成した場合、液晶の応答速度の問題が生じる。従って、第１サブフレームの期間と第２サブフレームの期間との比を、１：１〜１：２に設定することで、一方のサブフレーム期間を短くしすぎることを防止できる。従って、応答速度の遅い液晶を用いても、適切な表示を行える。
【００２５】
また、２つのサブフレームで表示を行う場合（ｍを２とする場合）、フレームの分割点については、第１サブフレームおよび第２サブフレームの双方で、実際明度と予定明度とのズレを最小とできる点（第１表示信号の輝度が最大で、かつ、第２表示信号の輝度が最小となる点）とすることも好ましい。
【００２６】
また、２つのサブフレームで表示を行う場合、制御部は、以下のように第１表示信号および第２表示信号を生成できる。
【００２７】
まず、制御部は、１フレームで表示される輝度の最大値Ｌｍａｘ、および、所定値γに基づいて、
Ｌｔ＝（１／（ｎ＋１））＾（１／γ）×Ｌｍａｘ
なるＬｔを求める。
【００２８】
次に、制御部は、通常ホールド表示を行う場合に出力される表示信号の輝度階調であるフレーム階調ＬがＬｔ以下であるか否かを判断する。
そして、制御部は、このフレーム階調ＬがＬｔ以下である場合、第２表示信号の輝度階調Ｆを最小（０）とする一方、第１表示信号の輝度階調Ｒを、
Ｒ＝（１／（ｎ＋１））＾（１／γ）×Ｌ
となるように設定する。
【００２９】
さらに、制御部は、また、フレーム階調ＬがＬｔより大きいと判断した場合、第１表示信号の輝度階調Ｒを最大とする一方、第２表示信号の輝度階調Ｆを、
Ｆ＝（（Ｌ＾γ−（１／（ｎ＋１））×Ｌｍａｘ＾γ））＾（１／γ）
となるように設定する。
これにより、第１および第２表示信号を容易に生成できる。
【００３０】
また、上記のような、第１サブフレームの期間と第２サブフレームの期間との比を１：ｎあるいはｎ：１とするサブフレーム表示を行う場合、表示信号の出力動作については、例えば、上記のように求められた第１表示信号と第２表示信号とを、１／（ｎ＋１）周期の差をもって、表示部に交互に出力することが好ましい。すなわち、１フレーム１：ｎあるいはｎ：１に分割した際、分割した時間幅を維持したまま、第一表示信号と第２表示信号をそれぞれ１ライン表示毎に交互に出力することにより、表示信号の出力周波数を、常に倍クロックに維持できる。まり、通常、１：ｎあるいはｎ：１に分割した場合、単純な構成では、出力周波数をｎ＋１倍する。しかし、上記の構成では、出力周波数を２倍クロックに維持できる。このため、低コストでサブフレーム表示を行うことができる。
ないので、低コストでサブフレーム表示を行える。
【００３１】
また、本表示装置では、表示部の表示画面を、液晶パネルから構成することが好ましい。上記のような白浮き現象は、液晶パネルにおいて顕著なものである。従って、本表示装置のサブフレーム表示は、液晶パネルの表示画面を有する構成において、特に有効である。
【００３２】
また、液晶パネルの白浮き現象は、ＶＡモードなどの、視野角度を増加させると表示輝度の強くなるような特性を有している場合に、顕著となる。従って、このような液晶パネルを有する構成にとって、本表示装置のサブフレーム表示は特に有効であるといえる。
【００３３】
また、本表示装置において２つのサブフレームで表示を行い、２倍のクロックで表示信号を出力する構成でも、液晶パネルにおける液晶の応答速度が１サブフレーム内で収まらないほど遅い場合には、有効でない場合もある。
【００３４】
従って、制御部は、液晶パネルの液晶応答速度が、以下の(c)(d)の条件を満足しているか否かを判断し、満足していない場合には、通常ホールド表示を行うように設計されていることが好ましい。
(c)最小明度（最小輝度）を表示している液晶に最大明度（最大輝度）となるための電圧信号を与えたときに、第１サブフレーム期間内で、液晶の電圧が、電圧信号の電圧における９０％以上の値に到達する。
(d)最大明度（最大輝度）を表示している液晶に最小明度（最大輝度）となるための電圧信号を与えたときに、第１サブフレーム期間内で、液晶の電圧が、電圧信号の電圧における５％以下の値に到達する。
なお、上記の電圧信号は、表示信号に応じて液晶に与えられる信号のことである。
【００３５】
また、通常ホールド表示では、制御部は、液晶パネルに印加する階調電圧を、交流により駆動することが好ましい。これは、液晶パネルは交流駆動とすることにより、フレーム毎に、画素の電荷極性（液晶を挟む画素電極間の電圧（電極間電圧）の極性の向き）を変えられるからである。
【００３６】
仮に直流駆動とすると、電極間に偏った電圧がかかるため、画素電極に電荷がたまる。そして、この状態が続くと、電圧を印加していないときでも、電極間に電位差が発生した状態（いわゆる焼き付きという状態）になってしまう。
【００３７】
ここで、本表示装置のようなサブフレーム表示を行う場合、サブフレーム間で、画素電極間に印加される電圧値（絶対値）が異なることが多い。
【００３８】
従って、通常の駆動方法に倣って、電極間電圧の極性をサブフレーム周期で反転させると、サブフレーム間での電圧値の違いにより、印加される電極間電圧に偏りが生じることがある。このような場合には、液晶パネルを長時間駆動させると、電極に電荷がたまり、上記した焼き付きやフリッカなどの発生する可能性がある。
従って、本表示装置では、電極間電圧の極性をフレーム周期で反転させることが好ましい。
【００３９】
このような極性変換方法は、１フレームをｍサブフレーム（ｍサブフィールド）に分割する場合に対しても有効である。また、１フレームを２サブフレーム（２サブフィールド）に分割し、その分割比を１：ｎあるいはｎ：１の比で分割する場合に対しても有効である。
【００４０】
例えば、２つのサブフレームで表示を行う場合、電極間電圧の極性をフレーム周期で反転させる方法は２つある。
１つの方法は、液晶に印加する電圧極性を、第１サブフレームと第２サブフレームとで等しくする（１フレームの間、液晶に同極性の電圧を印加する）一方、隣接するフレーム間で変える方法である。
【００４１】
また、もう１つの方法は、液晶に印加する電圧極性を、１フレーム内の２つのサブフレーム間で変える一方、１つのフレームの第１サブフレームと、この第１サブフレームに隣接する他のフレームの第２サブフレームとで等しくする方法である。
これらのように、フレーム周期で電極間電圧を交流化することにより、サブフレーム間で電極間電圧が大きく異なっていても、２フレームでのトータルの液晶の画素電極にかかる電圧をキャンセルできるので、焼き付きやフリッカを防止できる。
【００４２】
なお、本表示装置では、制御部は、通常、外部から入力される画像信号、および、画像信号と表示信号との対応表を利用して、表示部に入力する表示信号を生成するものである。
ここで、上記の対応表は、通常、ＬＵＴ（look-up table）と呼ばれるものである。
【００４３】
ところで、液晶パネルなどの表示画面（表示パネル）は、環境温度（表示部のおかれている環境の温度（気温））により、その応答特性や階調輝度特性の変化するものである。このため、画像信号に応じた最適な表示信号も、環境温度に応じて変化する。
【００４４】
そこで、本表示装置に、互いに異なる温度範囲に応じた複数の対応表（ＬＵＴ）を備えておくことが好ましい。
そして、制御部が、環境温度に応じた対応表を選択して使用するように設計されていることが好ましい。
【００４５】
この構成では、画像信号に対してより適切な表示信号を表示部に伝達できる。従って、想定される全ての温度範囲（例えば０℃〜６５℃の範囲）で、より忠実な輝度（明度）での画像表示を行うことが可能となる。
【００４６】
また、本表示装置では、表示部における１つの画素が、同一のソースラインおよびゲートラインに接続された２つの副画素から構成されていてもよい。
この場合、制御部が、少なくとも１つの表示信号電圧に対して、第１副画素を第１輝度とする一方、第２副画素を、第１輝度とは異なる第２輝度とする（画素分割駆動）ことが好ましい。また、制御部は、中間調の輝度（白および黒以外の輝度）を表示するときに、各副画素の表示輝度に差をつけながら表示を行ってもよい。
また、この場合、制御部は、両副画素から出力される輝度の総和が表示信号に応じた輝度となるように、各副画素の輝度階調を設定することが好ましい。
【００４７】
この場合、１つの画素全体で表示を行う場合に比して、双方の副画素の輝度（明度）を最大あるいは最小に近づけられる。従って、本表示装置の視野角特性をさらに向上させられる。
【００４８】
例えば、一方の副画素の輝度を黒表示（白表示）とし、他方の副画素の輝度を調整することで、低輝度（高輝度）の画像を表示することも可能である。これにより、一方の副画素における表示輝度と実際輝度とのズレを最小にできる。なお、この場合に、一方の副画素を黒表示（白表示）としなくてもよい。つまり、副画素間に輝度差が生じれば、原理的には視野角を改善できる。上記の構成は、この画素分割駆動とサブフレーム表示とを併用するものであり、これらの相乗効果により、極めて良好な視野角改善効果を期待できる。
【００４９】
また、上記のような画素分割駆動を行うための構成を、以下のように設計してもよい。
まず、各副画素を、互いに異なる補助線に接続する。そして、各副画素に、画素容量と、ゲートラインがＯＮ状態となったときに、ソースラインに印加された表示信号を画素容量に印加するスイッチ素子と、画素容量と補助線とに接続された補助容量とを備える。
そして、制御部が、各副画素に接続された補助線に流れる補助信号の状態を互いに異ならせる。これにより、各副画素の画素容量に印加される電圧を異なる値とすることが可能となる。
【００５０】
また、上記したように、サブフレーム表示を行う場合、表示部の表示画面が液晶パネルであるときには、制御部は、各副画素の液晶に印加する電圧極性を、フレーム周期で反転させることが好ましい。
そして、これと同様に、サブフレーム表示と画素分割駆動とを組み合わせた場合でも、表示部の表示画面が液晶パネルであるときには、制御部は、各副画素の液晶に印加する電圧極性を、フレーム周期で反転させることが好ましい。
これにより、サブフレーム間での液晶への印加電圧に差があっても、２フレームでのトータルの液晶の画素電極にかかる電圧をキャンセルできる。
【００５１】
また、上記した補助信号を用いて副画素間に輝度の差をつける構成では、制御部は、各副画素の液晶に印加する電圧極性をフレーム周期で反転させるとともに、補助信号の位相を、フレーム周期で反転させることが好ましい（タイミングについても同一とすることがより好ましい）。
【００５２】
また、上記では、本表示装置の制御部が、画像を表示する際、第１〜第ｍ表示信号の少なくとも１つの輝度階調を「最小または第１所定値より小さい値」あるいは「最大または第２所定値より大きい値」とする一方、他の表示信号の輝度階調を調整するとしている。
しかしながら、これに限らず、制御部は、全ての表示信号の輝度階調を調整することで、画像を表示するようにしてもよい。
また、この構成でも、表示部の表示画面が液晶パネルである場合には、制御部は、液晶に印加する電圧極性を、フレーム周期で反転させることが好ましい。
これにより、サブフレーム間で、液晶に印加される電圧値が異なっていても、２フレームでのトータルの液晶電圧をキャンセルできる。従って、上記した焼き付きやフリッカなどの発生を防止できる。
【００５３】
また、本表示装置においてｍを２とする場合、以下のように構成することが好ましい；
１フレームを、第１および第２サブフレームからなる２つのサブフレームに分割して画像表示を行う表示装置において、
入力された表示信号の輝度階調に基づいた輝度の画像を表示する表示部と、
１フレームに表示部から出力される輝度の総和をフレームの分割によって変えないように、第１サブフレームの表示信号である第１表示信号と、第２サブフレームの表示信号である第２表示信号とを生成し、倍クロックで表示部に出力する制御部とを備えており、
この制御部が、
低明度の画像を表示する場合に、第１表示信号の輝度階調を調整する一方、第２表示信号の輝度階調を最小とし、
高明度の画像を表示する場合に、第１表示信号の輝度階調を最大とする一方、第２表示信号の輝度階調を調整し、
さらに、第１サブフレームの期間と第２サブフレームの期間との比を、１：ｎあるいはｎ：１（ｎは１以上の自然数）とするようにフレームを分割するように設定されていることを特徴とする表示装置。
【００５４】
また、本表示装置の表示画面を液晶パネルとする場合、本表示装置と画像信号入力部（信号入力部）とを組み合わせることで、パーソナルコンピューターなどに使用される液晶モニターを構成することが可能である。
【００５５】
ここで、画像信号入力部とは、外部から入力された画像信号を制御部に伝達するためのものである。
この構成では、本表示装置の制御部が、画像信号入力部から伝達された画像信号に基づいて、表示信号を生成して表示部に出力することとなる。
【００５６】
また、本表示装置の表示画面を液晶パネルとする場合、本表示装置とチューナ部とを組み合わせることで、液晶テレビジョン受像機を構成することも可能である。
【００５７】
ここで、チューナ部とは、テレビ放送信号のチャネルを選択し、選択されたチャネルのテレビ画像信号を制御部に伝達するためのものである。
この構成では、本表示装置の制御部が、チューナ部から伝達されたテレビ画像信号に基づいて表示信号を生成して表示部に出力することとなる。
【００５８】
また、本発明の表示方法を、以下の第１〜第５表示方法として表現することもできる。すなわち、第１方法は１フレームを、ｍ個（ｍ；２以上の整数）のサブフレームに分割して画像表示を行う表示方法において、
１フレームに表示部から出力される輝度の総和をフレームの分割によって変えないように、第１〜第ｍサブフレームの表示信号である第１〜第ｍ表示信号を生成し、ｍ倍のクロックで表示部に出力する出力工程を含み、
この制御部が、第１〜第ｍ表示信号の少なくとも１つの輝度階調を「最小または第１所定値より小さい値」あるいは「最大または第２所定値より大きい値」とする一方、他の表示信号の輝度階調を調整することで画像を表示する表示方法である。
【００５９】
また、第２表示方法は、１フレームを、ｍ個（ｍ；２以上の整数）のサブフレームに分割して画像表示を行う表示方法において、
１フレームに表示部から出力される輝度の総和をフレームの分割によって変えないように、第１〜第ｍサブフレームの表示信号である第１〜第ｍ表示信号を生成し、表示部に出力する出力工程を含み、
上記の表示部の画素は、表示信号の電圧に応じて輝度が変化するものであり、
各画素が、同一のソースラインおよびゲートラインに接続された第１副画素および第２副画素を有しており、
上記の出力工程が、少なくとも１つの表示信号電圧に対して、第１副画素を第１輝度とする一方、第２副画素を、第１輝度とは異なる第２輝度とすることで画像を表示する表示方法である。
【００６０】
また、第３表示方法は、１フレームを、第１および第２サブフレームからなる２つのサブフレームに分割して画像表示を行う表示方法において、
１フレームに表示部から出力される輝度の総和をフレームの分割によって変えないように、第１および第２サブフレームの表示信号である第１および第２表示信号を生成し、表示部に出力する出力工程を含み、
この出力工程が、
低明度の画像を表示する場合に、第１表示信号の輝度階調を調整する一方、第２表示信号の輝度階調を最小または第１所定値より小さい値とし、
高明度の画像を表示する場合に、第１表示信号の輝度階調を最大または第２所定値より大きい値とする一方、第２表示信号の輝度階調を調整し、
第１サブフレームの期間と第２サブフレームの期間との比を、１：ｎあるいはｎ：１（ｎは１より大きい実数）とすることで画像を表示する表示方法である。
【００６１】
また、第４表示方法は、１フレームを、ｍ個（ｍ；２以上の整数）のサブフレームに分割して画像表示を行う表示方法において、
１フレームに表示部から出力される輝度の総和をフレームの分割によって変えないように、第１〜第ｍサブフレームの表示信号である第１〜第ｍ表示信号を生成し、表示部に出力する出力工程を含み、
上記表示部が、液晶パネルによって画像を表示するように設定されているとともに、
上記出力工程は、液晶に印加する電圧極性を、フレーム周期で反転させるようになっている表示方法である。
【００６２】
また、第５表示方法は、１フレームを、第１および第２サブフレームからなる２つのサブフレームに分割して画像表示を行う表示方法において、
１フレームに表示部から出力される輝度の総和をフレームの分割によって変えないように、第１サブフレームの表示信号である第１表示信号と、第２サブフレームの表示信号である第２表示信号とを生成し、倍クロックで表示部に出力する出力工程を含み、
この出力工程が、
低明度の画像を表示する場合に、第１表示信号の輝度階調を調整する一方、第２表示信号の輝度階調を最小とし、
高明度の画像を表示する場合に、第１表示信号の輝度階調を最大とする一方、第２表示信号の輝度階調を調整し、
さらに、第１サブフレームの期間と第２サブフレームの期間との比を、１：ｎあるいはｎ：１（ｎは1以上の自然数；好ましくは１〜７の範囲）とするようにフレームを分割するように設定されている表示方法である。
【００６３】
これらの第１〜第５表示方法は、上記した本表示装置において使用されている方法である。従って、これらの表示方法では、通常ホールド表示を行う構成に比して、１フレームでのズレを約半分に減らすことが可能となり、このズレに起因する白浮き現象を抑制できるか、あるいは、表示画面の焼き付きやフリッカなどの発生を防止できる。
【００６４】
また、本発明の表示プログラムは、表示画面（液晶パネルなど）を備えた表示部を有するコンピューターに、上記した第１〜第４表示方法のいずれかの出力工程を実行させるものである。
上記のようなコンピューターにこのプログラムを読み込ませることで、第１〜第５表示方法のいずれかの出力工程を、そのコンピューターによって実現することが可能となる。
また、このプログラムをコンピューターによって読取可能な記録媒体に記録させておくことで、プログラムの保存・流通を容易に行えるようになる。
【００６５】
また、本発明の表示装置の駆動方法を、以下の第１〜１３駆動方法として表現することもできる。すなわち、第１駆動方法は、
画像信号の階調レベルを供給する工程と、
この画像信号を上記階調レベルで表示する工程とを含み、
画像信号のフレームが複数のサブフレームからなり、
少なくとも２つのサブフレームの期間が互いに異なっている方法である。
また、第２駆動方法は、第１駆動方法において、上記の画像信号が、液晶表示装置によって表示される方法である。
さらに、第３駆動方法は、第１あるいは第２駆動方法において、上記複数のサブフレームは、最大あるいは第２所定値より大きい階調レベルに応じた少なくとも１つのサブフレーム、および、最小あるいは第１所定値より小さい階調レベルに応じた少なくとも１つのサブフレームを含んでいる方法である。
【００６６】
また、第４駆動方法は、表示装置の駆動方法であって、
フレームが複数のサブフレームに分割されており、少なくとも２つのサブフレームの期間が互いに異なっている画像信号の階調レベルを供給する工程と、
供給された画像信号の極性を、フレーム周期で反転させる工程と、
画像信号の極性がどのような状態にあっても、供給された階調レベルで画像信号を表示する工程と、を含んでいる方法である。
【００６７】
また、第５駆動方法は、第４駆動方法において、上記の画像信号が、液晶表示装置によって表示される方法である。
また、第６駆動方法は、第４あるいは第５駆動方法において、上記複数のサブフレームは、最大あるいは第２所定値より大きい階調レベルに応じた少なくとも１つのサブフレーム、および、最小あるいは第１所定値より小さい階調レベルに応じた少なくとも１つのサブフレームを含んでいる方法である。
また、第７駆動方法は、第４駆動方法において、各画素が２つ以上の副画素からなる画素分割駆動システムにおいて使用される方法である。
さらに、第８駆動方法は、第７駆動方法において、副画素の１つが比較的に暗く、副画素の１つが比較的に明るくなっている方法である。
【００６８】
また、第９駆動方法は、表示装置の駆動方法であって、
フレームが複数のサブフレームに分割された画像信号の階調レベルを供給する工程と、
各画素が少なくとも２つの副画素を有する副画素構造を含んでいる画像表示部によって、供給された階調レベルで画像信号を表示する工程とを含み、
補助信号の位相が画像信号の極性に応じて変化し、
これらの位相および極性が、フレーム周期で反転させる方法である。
【００６９】
また、第１０駆動方法は、第９駆動方法において、上記の画像信号が、液晶表示装置によって表示される方法である。
また、第１１駆動方法は、第９あるいは第１０駆動方法において、上記複数のサブフレームは、最大あるいは第２所定値より大きい階調レベルに応じた少なくとも１つのサブフレーム、および、最小あるいは第１所定値より小さい階調レベルに応じた少なくとも１つのサブフレームを含んでいる方法である。
【００７０】
また、第１２駆動方法は、第９駆動方法において、副画素の１つが比較的に暗く、副画素の１つが比較的に明るくなっている方法である。
また、第１３駆動方法は、第９駆動方法において、少なくとも２つのサブフレームの周期が互いに異なっている方法である。
【００７１】
これらの第１〜第１３駆動方法は、上記した本表示装置において使用されている方法である。従って、これらの表示方法では、通常ホールド表示を行う構成に比して、１フレームでのズレを減らすことが可能となり、このズレに起因する白浮き現象を抑制できるか、あるいは、表示画面の焼き付きやフリッカなどの発生を防止できる。
【００７２】
また、本発明にかかる画像信号の画像を表示する装置を、以下の第１〜第１３装置として表現することもできる。すなわち、第１装置は、
画像信号の画像を表示する装置において、
画像信号の階調レベルを供給するように設定された制御部と、
供給された階調レベルで画像信号を表示するように設定された表示部とを備え、
画像信号のフレームが複数のサブフレームからなり、
少なくとも２つのサブフレームの期間が互いに異なっている装置である。
【００７３】
また、第２装置は、第１装置において、上記の表示部が液晶表示装置を含んでいる構成である。
また、第３装置は、第１あるいは第２装置において、上記複数のサブフレームは、最大あるいは第２所定値より大きい階調レベルに応じた少なくとも１つのサブフレーム、および、最小あるいは第１所定値より小さい階調レベルに応じた少なくとも１つのサブフレームを含んでいる構成である。
【００７４】
また、第４装置は、
画像信号の画像を表示する装置において、
フレームが複数のサブフレームに分割されており、少なくとも２つのサブフレームの期間が互いに異なっている画像信号の階調レベルを供給するように設定された制御部と、
供給された画像信号の極性を、フレーム周期で反転させるように設定されているとともに、
画像信号の極性がどのような状態にあっても、供給された階調レベルで画像信号を表示する表示部とを有する構成である。
【００７５】
また、第５装置は、第４装置において、上記の表示部が液晶表示装置を含んでいる構成である。
また、第６装置は、第４あるいは第５装置において、上記複数のサブフレームは、最大あるいは第２所定値より大きい階調レベルに応じた少なくとも１つのサブフレーム、および、最小あるいは第１所定値より小さい階調レベルに応じた少なくとも１つのサブフレームを含んでいる構成である。
【００７６】
また、第７装置は、第６装置において、上記表示部は、各画素が少なくとも２つの副画素を有する副画素構造を含んでいる構成である。
また、第８装置は、第７装置において、副画素の１つが比較的に暗く、副画素の１つが比較的に明るくなっている構成である。
【００７７】
また、第９装置は、
画像信号の画像を表示する装置において、
フレームが複数のサブフレームに分割された画像信号の階調レベルを供給する制御部と、
各画素が少なくとも２つの副画素を有する副画素構造を有し、供給された階調レベルで画像信号を表示する表示部とを含み、
供給された画像信号の極性に応じて、補助的に供給された信号の位相が変化し、
これらの位相および極性が、フレーム周期で反転する構成である。
【００７８】
また、第１０装置は、第９装置において、上記の表示部が液晶表示装置を含んでいる構成である。
また、第１１装置は、第９あるいは第１０装置において、上記複数のサブフレームは、最大あるいは第２所定値より大きい階調レベルに応じた少なくとも１つのサブフレーム、および、最小あるいは第１所定値より小さい階調レベルに応じた少なくとも１つのサブフレームを含んでいる構成である。
【００７９】
また、第１２装置は、第９装置において、副画素の１つが比較的に暗く、副画素の１つが比較的に明るくなっている構成である。
また、第１３装置は、少なくとも２つのサブフレームの周期が互いに異なっている構成である。
【００８０】
これら第１〜第１３装置においても、上記した本表示装置と同様の効果を得られる。すなわち、通常ホールド表示を行う構成に比して、１フレームでのズレを減らすことが可能となり、このズレに起因する白浮き現象を抑制できるか、あるいは、表示画面の焼き付きやフリッカなどの発生を防止できる。
【００８１】
また、本発明を、
１フレームを、ｍ個（ｍ；２以上の整数）のサブフレームに分割して画像表示を行う表示装置において、
入力された表示信号の輝度階調に基づいた輝度の画像を表示する表示部と、
１フレームに表示部から出力される輝度の総和をフレームの分割によって変えないように、第１〜第ｍサブフレームの表示信号である第１〜第ｍ表示信号を生成し、表示部に出力する制御部とを備えており、
上記の表示部の画素は、表示信号の電圧に応じて輝度が変化するものであり、
各画素が、同一のソースラインおよびゲートラインに接続された第１副画素および第２副画素を有しており、
制御部が、少なくとも１つの表示信号電圧に対して、第１副画素を第１輝度とする一方、第２副画素を、第１輝度とは異なる第２輝度とするように設計されていることを特徴とする表示装置、と表現することもできる。
【００８２】
この構成では、ｍが２である場合、第１サブフレームの期間と第２サブフレームの期間との比を、１：ｎあるいはｎ：１（ｎは１より大きい実数）に設定することが好ましい。
【００８３】
また、本発明を、１フレームを、ｍ個（ｍ；２以上の整数）のサブフレームに分割して画像表示を行う表示装置において、
入力された表示信号の輝度階調に基づいた輝度の画像を表示する表示部と、
１フレームに表示部から出力される輝度の総和をフレームの分割によって変えないように、第１〜第ｍサブフレームの表示信号である第１〜第ｍ表示信号を生成し、表示部に出力する制御部とを備えており、
上記表示部が、液晶パネルによって画像を表示するように設定されているとともに、
上記制御部は、液晶に印加する電圧極性を、フレーム周期で反転させるように設計されていることを特徴とする表示装置、と表現することもできる。
【００８４】
この構成では、上記制御部は、液晶に印加する電圧極性を、フレーム内で等しくする一方、隣接するフレーム間で反転するように設計されていることが好ましい。
また、上記制御部は、液晶に印加する電圧極性を、２つのフレーム間で隣接する２つのサブフレームで等しくするように設計されていてもよい。
【００８５】
また、制御部は、液晶に印加する電圧極性を、フレーム内で反転するように設計されていてもよい。
【発明の効果】
【００８６】
以上のように、本発明の表示装置（本表示装置）は、
１フレームを、ｍ個（ｍ；２以上の整数）のサブフレームに分割して画像表示を行う表示装置において、
入力された表示信号の輝度階調に基づいた輝度の画像を表示する表示部と、
１フレームに表示部から出力される輝度の総和をフレームの分割によって変えないように、第１〜第ｍサブフレームの表示信号である第１〜第ｍ表示信号を生成し、ｍ倍のクロックで表示部に出力する制御部とを備えており、
この制御部が、第１〜第ｍ表示信号の少なくとも１つの輝度階調を「最小または第１所定値より小さい値」あるいは「最大または第２所定値より大きい値」とする一方、他の表示信号の輝度階調を調整することで画像を表示するように設計されている構成である。
【００８７】
本表示装置では、画像を表示する際、制御部が、第１〜第ｍ表示信号の少なくとも１つの輝度階調「最小または第１所定値より小さい値」あるいは「最大または第２所定値より大きい値」とする一方、他の表示信号の輝度階調を調整することで階調表現を行うようになっている。
従って、少なくとも１つのサブフレームでの明度ズレを十分に小さくできる。これにより、本表示装置では、通常ホールド表示を行う場合に比して、明度ズレを小さく抑えられるので、視野角特性を向上させることが可能となる。このため、白浮き現象を良好に抑制できる。
【発明を実施するための最良の形態】
【００８８】
本発明の一実施形態について説明する。
本実施の形態にかかる液晶表示装置（本表示装置）は、複数のドメインに分割された垂直配向（ＶＡ）モードの液晶パネルを有するものである。
そして、本表示装置は、外部から入力された画像信号を液晶パネルに表示する液晶モニターとして機能するものである。
【００８９】
図１は、本表示装置の内部構成を示すブロック図である。
この図に示すように、本表示装置は、フレームメモリ（Ｆ．Ｍ．）１１，前段ＬＵＴ１２，後段ＬＵＴ１３，表示部１４および制御部１５を備えている。
【００９０】
フレームメモリ（画像信号入力部）１１は、外部の信号源から入力される画像信号（ＲＧＢ信号）を１フレーム分蓄積するものである。
前段ＬＵＴ（look-up table）１２および後段ＬＵＴ１３は、外部から入力される画像信号と、表示部１４に出力する表示信号との対応表（変換表）である。
【００９１】
なお、本表示装置は、サブフレーム表示を行うようになっている。ここで、サブフレーム表示とは、１つのフレームを複数のサブフレームに分けて表示を行う方法である。
【００９２】
すなわち、本表示装置は、１フレーム期間に入力される１フレーム分の画像信号に基づいて、その２倍の周波数で、サイズ（期間）の等しい２つのサブフレームによって表示を行うように設計されている。
【００９３】
そして、前段ＬＵＴ１２は、前段のサブフレーム（前サブフレーム；第２サブフレーム）において出力される表示信号（前段表示信号；第２表示信号）のための対応表である。一方、後段ＬＵＴ１３は、後段のサブフレーム（後サブフレーム；第１サブフレーム）において出力される表示信号（後段表示信号；第１表示信号）のための対応表である。
【００９４】
表示部１４は、図１に示すように、液晶パネル２１，ゲートドライバー２２，ソースドライバー２３を備えており、入力される表示信号に基づいて画像表示を行うものである。
ここで、液晶パネル２１は、ＶＡモードのアクティブマトリックス（ＴＦＴ）液晶パネルである。
【００９５】
制御部１５は、本表示装置における全動作を制御する、本表示装置の中枢部である。そして、制御部１５は、上記した前段ＬＵＴ１２，後段ＬＵＴ１３を用いて、フレームメモリ１１に蓄積された画像信号から表示信号を生成し、表示部１４に出力するものである。
【００９６】
すなわち、制御部１５は、通常の出力周波数（通常クロック；例えば２５ＭＨｚ）で送られてくる画像信号をフレームメモリ１１に蓄える。そして、制御部１５は、この画像信号を、通常クロックの２倍の周波数を有するクロック（倍クロック；５０ＭＨｚ）により、フレームメモリ１１から２回出力する。
【００９７】
そして、制御部１５は、１回目に出力する画像信号に基づいて、前段ＬＵＴ１２を用いて前段表示信号を生成する。その後、２回目に出力する画像信号に基づいて、後段ＬＵＴ１３を用いて後段表示信号を生成する。そして、これらの表示信号を、倍クロックで順次的に表示部１４に出力する。
【００９８】
これにより、表示部１４が、順に入力される２つの表示信号に基づいて、１フレーム期間に、互いに異なる画像を１回づつ表示する（両サブフレーム期間で、液晶パネル２１の全ゲートラインを１回づつＯＮとする）。
なお、表示信号の出力動作については、後により詳細に説明する。
【００９９】
ここで、制御部１５による、前段表示信号および後段表示信号の生成について説明する。
まず、液晶パネルに関する一般的な表示輝度（パネルによって表示される画像の輝度）について説明する。
【０１００】
通常の８ビットデータを、サブフレームを用いずに１フレームで画像を表示する場合（１フレーム期間で、液晶パネルの全ゲートラインを１回だけＯＮとする、通常ホールド表示する場合）、表示信号の輝度階調（信号階調）は、０〜２５５までの段階となる。
【０１０１】
そして、液晶パネルにおける信号階調と表示輝度とは、以下の（１）式によって近似的に表現される。
（（Ｔ−Ｔ０）／（Ｔｍａｘ−Ｔ０））＝（Ｌ／Ｌｍａｘ）＾γ・・・（１）
ここで、Ｌは１フレームで画像を表示する場合（通常ホールド表示で画像を表示する場合）の信号階調（フレーム階調）、Ｌｍａｘは最大の輝度階調（２５５）、Ｔは表示輝度、Ｔｍａｘは最大輝度（Ｌ＝Ｌｍａｘ＝２５５のときの輝度；白）、Ｔ０は最小輝度（Ｌ＝０のときの輝度；黒）、γは補正値（通常２．２）である。
なお、実際の液晶パネル２１では、Ｔ０＝０ではない。しかしながら、説明を簡略化するため、以下では、Ｔ０＝０とする。
【０１０２】
また、この場合（通常ホールド表示の場合）に液晶パネル２１から出力される表示輝度Ｔを、図２にグラフとして示す。
このグラフは、横軸に『出力されるはずの輝度（予定輝度；信号階調に応じた値，上記の表示輝度Ｔに相当）』を、縦軸に『実際に出力された輝度（実際輝度）』を示している。
【０１０３】
このグラフに示すように、この場合には、上記した２つの輝度は、液晶パネル２１の正面（視野角度０度）においては等しくなる。
一方、視野角度を６０度としたときには、実際輝度が、階調γ特性の変化によって、中間調の輝度で明るくなってしまう。
【０１０４】
次に、本表示装置における表示輝度について説明する。
本表示装置では、制御部１５が、
(a)「前サブフレームおよび後サブフレームのそれぞれにおいて表示部１４によって表示される画像の輝度（表示輝度）の総和（１フレームにおける積分輝度）を、通常ホールド表示を行う場合の１フレームの表示輝度と等しくする」
(b)「一方のサブフレームを黒（最小輝度）、または白（最大輝度）にする」
を満たすように階調表現を行うように設計されている。
【０１０５】
このために、本表示装置では、制御部１５が、フレームを２つのサブフレームに均等に分割し、１つのサブフレームによって最大輝度の半分までの輝度を表示するように設計されている。
【０１０６】
すなわち、最大輝度の半分（閾輝度；Ｔｍａｘ／２）までの輝度を１フレームで出力する場合（低輝度の場合）、制御部１５は、前サブフレームを最小輝度（黒）とし、後サブフレームの表示輝度のみを調整して階調表現を行う（後サブフレームのみを用いて階調表現を行う）。
この場合、１フレームにおける積分輝度は『（最小輝度＋後サブフレームの輝度）／２』の輝度となる。
【０１０７】
また、上記の閾輝度より高い輝度を出力する場合（高輝度の場合）、制御部１５は、後サブフレームを最大輝度（白）とし、前サブフレームの表示輝度を調整して階調表現を行う。
この場合、１フレームにおける積分輝度は『（前サブフレームの輝度＋最大輝度）／２』の輝度となる。
【０１０８】
次に、このような表示輝度を得るための表示信号（前段表示信号および後段表示信号）の信号階調設定について具体的に説明する。
なお、信号階調設定については、図１に示した制御部１５が行う。
制御部１５は、上記した（１）式を用いて、上記した閾輝度（Ｔｍａｘ／２）に対応するフレーム階調をあらかじめ算出しておく。
【０１０９】
すなわち、このような表示輝度に応じたフレーム階調（閾輝度階調；Ｌｔ）は、（１）式より、
Ｌｔ＝０．５＾（１／γ）×Ｌｍａｘ    ・・・（２）
ただし、Ｌｍａｘ＝Ｔｍａｘ＾γ      ・・・（２ａ）
となる。
【０１１０】
そして、制御部１５は、画像を表示する際、フレームメモリ１１から出力された画像信号に基づいて、フレーム階調Ｌを求める。
そして、このＬがＬｔ以下の場合、制御部１５は、前段表示信号の輝度階調（Ｆとする）を、前段ＬＵＴ１２によって最小（０）とする。
一方、制御部１５は、後段表示信号の輝度階調（Ｒとする）を、（１）式に基づいて、
Ｒ＝０．５＾（１／γ）×Ｌ      ・・・（３）
となるように、後段ＬＵＴ１３を用いて設定する。
【０１１１】
また、フレーム階調ＬがＬｔより大きい場合、制御部１５は、後段表示信号の輝度階調Ｒを最大（２５５）とする。
一方、制御部１５は、前サブフレームの輝度階調Ｆを、（１）式に基づいて、
Ｆ＝（Ｌ＾γ−０．５×Ｌｍａｘ＾γ）＾（１／γ）・・・（４）
とする。
【０１１２】
次に、本表示装置における表示信号の出力動作について、より詳細に説明する。なお、以下では、液晶パネル２１の画素数をａ×ｂとする。
この場合、制御部１５は、ソースドライバー２３に対し、倍クロックで、１番目のゲートラインの画素（ａ個）の前段表示信号を蓄積する。
【０１１３】
そして、制御部１５は、ゲートドライバー２２によって、１番目のゲートラインをＯＮとし、このゲートラインの画素に対して前段表示信号を書き込む。その後、制御部１５は、ソースドライバー２３に蓄積する前段表示信号を変えながら、同様に、２〜ｂ番目のゲートラインを倍クロックでＯＮしてゆく。これにより、１フレームの半分の期間（１／２フレーム期間）で、全ての画素に前段表示信号を書き込める。
【０１１４】
さらに、制御部１５は、同様の動作を行って、残りの１／２フレーム期間で、全ゲートラインの画素に後段表示信号の書き込みを行う。
これにより、各画素には、前段表示信号と後段表示信号とが、それぞれ均等の時間（１／２フレーム期間）づつ書き込まれることになる。
【０１１５】
図３は、このような前段表示信号および後段表示信号を前・後サブフレームに分けて出力するサブフレーム表示を行った結果（破線および実線）を、図２に示した結果（一点鎖線および実線）と合わせて示すグラフである。
【０１１６】
本表示装置では、図２に示したように、大きな視野角度での実際輝度と予定輝度（実線と同等）とのズレが、表示輝度が最小あるいは最大の場合に最小（０）となる一方、中間調（閾輝度近傍）で最も大きくなる液晶パネル２１を用いている。
【０１１７】
そして、本表示装置では、１つのフレームをサブフレームに分割するサブフレーム表示を行っている。
さらに、２つのサブフレームの期間を等しく設定し、低輝度の場合、１フレームにおける積分輝度を変化させない範囲で、前サブフレームを黒表示とし、後サブフレームのみを用いて表示を行っている。
従って、前サブフレームでのズレが最小となるので、図３の破線に示すように、両サブフレームのトータルのズレを約半分に減らせる。
【０１１８】
一方、高輝度の場合、１フレームにおける積分輝度を変化させない範囲で、後サブフレームを白表示とし、前サブフレームの輝度だけを調整して表示を行っている。
このため、この場合にも、後サブフレームのズレが最小となるので、図３の破線に示すように、両サブフレームのトータルのズレを約半分に減らせる。
【０１１９】
このように、本表示装置では、通常ホールド表示を行う構成（サブフレームを用いずに１フレームで画像を表示する構成）に比して、全体的にズレを約半分に減らすことが可能となっている。
このため、図２に示したような、中間調の画像が明るくなって白く浮いてしまう現象（白浮き現象）を抑制することが可能である。
【０１２０】
なお、本実施の形態では、前サブフレームと後サブフレームとの期間が等しいとしている。これは、最大値の半分までの輝度を１つのサブフレームで表示するためである。
しかしながら、これらのサブフレームの期間を、互いに異なる値に設定してもよい。
【０１２１】
すなわち、本表示装置において問題とされている白浮き現象は、視野角度の大きい場合に実際輝度が図２のような特性を持つことで、中間調の輝度の画像が明るくなって白く浮いて見える現象のことである。
【０１２２】
なお、通常、カメラに撮像された画像は、輝度に基づいた信号となる。そして、この画像をデジタル形式で送信する場合には、（１）式に示したγを用いて画像を表示信号に変換する（すなわち、輝度の信号を（１／γ）乗し、均等割りして階調をつける）。
そして、このような表示信号に基づいて、液晶パネル等の表示装置によって表示される画像は、（１）式によって示される表示輝度を有することとなる。
【０１２３】
ところで、人間の視覚感覚は、画像を、輝度ではなく明度として受け取っている。また、明度（明度指数）Ｍとは、以下の（５）（６）式によって表されるものである（非特許文献１参照）。
【０１２４】
Ｍ＝１１６×Ｙ＾（１／３）−１６，Ｙ＞０．００８８５６  ・・・（５）
Ｍ＝９０３．２９×Ｙ，Ｙ≦０．００８８５６                ・・・（６）
ここで、Ｙは、上記した実際輝度に相当するものであり、Ｙ＝（ｙ／ｙｎ）なる量である。なお、ｙは、任意な色のｘｙｚ表色系における三刺激値のｙ値であり、また、ｙｎは、完全拡散反射面の標準の光によるｙ値でありｙｎ＝１００と定められている。
【０１２５】
これらの式より、人間は、輝度的に暗い映像に対して敏感であり、明るい映像に対しては鈍感になっていく傾向がある。
そして、白浮きに関しても、人間は、輝度のズレではなく、明度のズレとして受け取っていると考えられる。
【０１２６】
ここで、図６は、図３に示した輝度のグラフを明度に変換したものを示すグラフである。
このグラフは、横軸に『出力されるはずの明度（予定明度；信号階調に応じた値，上記の明度Ｍに相当）』を、縦軸に『実際に出力された明度（実際明度）』を示している。
このグラフに実線で示すように、上記した２つの明度は、液晶パネル２１の正面（視野角度０度）においては等しくなる。
【０１２７】
一方、このグラフの破線に示すように、視野角度を６０度とし、かつ、各サブフレームの期間を均等とした場合（すなわち、最大値の半分までの輝度を１つのサブフレームで表示する場合）には、実際明度と予定明度とのズレは、通常ホールド表示を行う従来の場合よりは改善されている。従って、白浮き現象を、ある程度は抑制できていることがわかる。
【０１２８】
また、人間の視覚感覚にあわせて白浮き現象をより大きく抑制するためには、輝度ではなく、明度に合わせてフレームの分割割合を決定することがより好ましいといえる。
そして、実際明度と予定明度とのズレは、輝度の場合と同様に、予定明度における最大値の半分の点で最も大きくなる。
【０１２９】
従って、最大値の半分までの輝度を１つのサブフレームで表示するようにフレームを分割するよりも、最大値の半分までの明度を１つのサブフレームで表示するようにフレームを分割する方が、人間に感じられるズレ（すなわち白浮き）を改善できることになる。
【０１３０】
そこで、以下に、フレームの分割点における好ましい値について説明する。
まず、演算を簡単に行うために、上記した（５）（６）式を、以下の（６ａ）式のような形（（１）式に類似の形）にまとめて近似する。
Ｍ＝Ｙ＾（１/α）      ・・・（６ａ）
このような形に変換した場合、この式のαは、約２．５となる。
【０１３１】
また、このαの値が２．２〜３．０の間にあれば、（６ａ）式における輝度Ｙと明度Ｍとの関係は適切となる（人間の視覚感覚に対応している）と考えられている。
【０１３２】
そして、１つのサブフレームで、最大値の半分の明度Ｍを表示するためには、２つのサブフレームの期間を、γ＝２．２のときは約１：３、γ＝３．０のときは約１：７とすることが好ましいことがわかっている。
なお、このようにフレームを分割する場合には、輝度の小さいときに表示に使用する方のサブフレーム（高輝度の場合に最大輝度に維持しておく方のサブフレーム）を短い期間とすることとなる。
【０１３３】
以下に、前サブフレームと後サブフレームとの期間を３：１とする場合について説明する。
まず、この場合における表示輝度について説明する。
【０１３４】
この場合には、最大輝度の１／４（閾輝度；Ｔｍａｘ／４）までの輝度を１フレームで出力する表示する低輝度表示を行う際、制御部１５は、前サブフレームを最小輝度（黒）とし、後サブフレームの表示輝度のみを調整して階調表現を行う（後サブフレームのみを用いて階調表現を行う）。
このときには、１フレームにおける積分輝度は『（最小輝度＋後サブフレームの輝度）／４』の輝度となる。
【０１３５】
また、閾輝度（Ｔｍａｘ／４）より高い輝度を１フレームで出力する場合（高輝度の場合）、制御部１５は、後サブフレームを最大輝度（白）とし、前サブフレームの表示輝度を調整して階調表現を行う。
この場合、１フレームにおける積分輝度は『（前サブフレームの輝度＋最大輝度）／４』の輝度となる。
【０１３６】
次に、このような表示輝度を得るための表示信号（前段表示信号および後段表示信号）の信号階調設定について具体的に説明する。
なお、この場合にも、信号階調（および後述する出力動作）は、上記した(a)(b)の条件を満たすように設定される。
【０１３７】
まず、制御部１５は、上記した（１）式を用いて、上記した閾輝度（Ｔｍａｘ／４）に対応するフレーム階調をあらかじめ算出しておく。
【０１３８】
すなわち、このような表示輝度に応じたフレーム階調（閾輝度階調；Ｌｔ）は、（１）式より、
Ｌｔ＝（１／４）＾（１／γ）×Ｌｍａｘ    ・・・（７）
そして、制御部１５は、画像を表示する際、フレームメモリ１１から出力された画像信号に基づいて、フレーム階調Ｌを求める。
そして、このＬがＬｔ以下の場合、制御部１５は、前段表示信号の輝度階調（Ｆ）を、前段ＬＵＴ１２を用いて最小（０）とする。
一方、制御部１５は、後段表示信号の輝度階調（Ｒ）を、（１）式に基づいて、Ｒ＝（１／４）＾（１／γ）×Ｌ      ・・・（８）
となるように、後段ＬＵＴ１３を用いて設定する。
【０１３９】
また、フレーム階調ＬがＬｔより大きい場合、制御部１５は、後段表示信号の輝度階調Ｒを最大（２５５）とする。
一方、制御部１５は、前サブフレームの輝度階調Ｆを、（１）式に基づいて、
Ｆ＝（（Ｌ＾γ−（１／４）×Ｌｍａｘ＾γ））＾（１／γ）・・・（９）
とする。
【０１４０】
次に、このような前段表示信号および後段表示信号の出力動作について説明する。
上記したように、フレームを均等分割する構成では、画素には、前段表示信号と後段表示信号とが、それぞれ均等の時間（１／２フレーム期間）づつ書き込まれる。
これは、倍クロックで前段表示信号を全て書き込んだ後に、後段表示信号の書き込みを行うため、各表示信号に関するゲートラインのＯＮ期間が均等となったためである。
【０１４１】
従って、後段表示信号の書き込みの開始タイミング（後段表示信号に関するゲートＯＮタイミング）を変えることにより、分割の割合を変えられる。
【０１４２】
図４（ａ）は、フレームメモリ１１に入力される画像信号、図４（ｂ）は、３：１に分割する場合における、フレームメモリ１１から前段ＬＵＴ１２に出力される画像信号、そして、図４（ｃ）は、同じく後段ＬＵＴ１３に出力される画像信号を示す説明図である。
また、図５は、同じく３：１に分割する場合における、前段表示信号と後段表示信号とに関するゲートラインのＯＮタイミングを示す説明図である。
【０１４３】
これらの図に示すように、この場合、制御部１５は、１フレーム目の前段表示信号を、通常のクロックで各ゲートラインの画素に書き込んでゆく。
そして、３／４フレーム期間後に、後段表示信号の書き込みを開始する。このときからは、前段表示信号と後段表示信号とを、倍クロックで、交互に書き込んでゆく。
【０１４４】
すなわち、「全ゲートラインの３／４」番目のゲートラインの画素に前段表示信号を書き込んだ後、ソースドライバー２３に１番目のゲートラインに関する後段表示信号の蓄積し、このゲートラインをＯＮする。次に、ソースドライバー２３に「全ゲートラインの３／４」＋１番目のゲートラインに関する前段表示信号を蓄積し、このゲートラインをＯＮする。
【０１４５】
このように１フレーム目の３／４フレーム期間後から、倍クロックで、前段表示信号と後段表示信号とを交互に出力することで、前サブフレームと後サブフレームとの割合を３：１とすることが可能となる。
そして、これら２つのサブフレームにおける表示輝度の総和（積分総和）が、１フレームにおける積分輝度となる。
なお、フレームメモリ１１に蓄えられたデータは、ゲートタイミングにあわせてソースドライバー２３に出力されることになる。
【０１４６】
また、図７は、フレームを３：１に分割した場合における、予定明度と実際明度との関係を示すグラフである。
この図に示すように、この構成では、予定明度と実際明度とのズレの最も大きくなる点でフレームを分割できている。従って、図６に示した結果に比べて、視野角度を６０度とした場合における予定明度と実際明度との差が、非常に小さくなっている。
【０１４７】
すなわち、本表示装置では、「Ｔｍａｘ／４」までの低輝度（低明度）の場合、１フレームにおける積分輝度を変化させない範囲で、前サブフレームを黒表示とし、後サブフレームのみを用いて表示を行っている。
従って、前サブフレームでのズレ（実際明度と予定明度との差）が最小となるので、図７の破線に示すように、両サブフレームのトータルのズレを約半分に減らせる。
【０１４８】
一方、高輝度（高明度）の場合、１フレームにおける積分輝度を変化させない範囲で、後サブフレームを白表示とし、前サブフレームの輝度だけを調整して表示を行っている。
このため、この場合にも、後サブフレームのズレが最小となるので、図７の破線に示すように、両サブフレームのトータルのズレを約半分に減らせる。
【０１４９】
このように、本表示装置では、通常ホールド表示を行う構成に比して、全体的に明度のズレを約半分に減らすことが可能となっている。
このため、図２に示したような、中間調の画像が明るくなって白く浮いてしまう現象（白浮き現象）を、より効果的に抑制することが可能である。
【０１５０】
ここで、上記では、表示開始時から３／４フレーム期間までの間において、１フレーム目の前段表示信号を、通常のクロックで各ゲートラインの画素に書き込むとしている。これは、後段表示信号を書き込むべきタイミングに達していないからである。
【０１５１】
しかしながら、このような措置に変えて、ダミーの後段表示信号を用いて、表示開始時から倍クロックでの表示を行うようにしてもよい。すなわち、表示開始時から３／４フレーム期間までの間に、前段表示信号と、信号階調０の後段表示信号（ダミーの後段表示信号）とを交互に出力するようにしてもよい。
【０１５２】
ここで、以下に、より一般的に、前サブフレームと後サブフレームとの割合をｎ：１とする場合について説明する。
この場合、制御部１５は、最大輝度の１／（ｎ＋１）（閾輝度；Ｔｍａｘ／（ｎ＋１））までの輝度を１フレームで出力する場合（低輝度の場合）、前サブフレームを最小輝度（黒）とし、後サブフレームの表示輝度のみを調整して階調表現を行う（後サブフレームのみを用いて階調表現を行う）。
この場合、１フレームにおける積分輝度は『（最小輝度＋後サブフレームの輝度）／（ｎ＋１）』の輝度となる。
【０１５３】
また、閾輝度（Ｔｍａｘ／（ｎ＋１））より高い輝度を出力する場合（高輝度の場合）、制御部１５は、後サブフレームを最大輝度（白）とし、前サブフレームの表示輝度を調整して階調表現を行う。
この場合、１フレームにおける積分輝度は『（前サブフレームの輝度＋最大輝度）／（ｎ＋１）』の輝度となる。
【０１５４】
次に、このような表示輝度を得るための表示信号（前段表示信号および後段表示信号）の信号階調設定について具体的に説明する。
なお、この場合にも、信号階調（および後述する出力動作）は、上記した(a)(b)の条件を満たすように設定される。
【０１５５】
まず、制御部１５は、上記した（１）式を用いて、上記した閾輝度（Ｔｍａｘ／（ｎ＋１））に対応するフレーム階調をあらかじめ算出しておく。
【０１５６】
すなわち、このような表示輝度に応じたフレーム階調（閾輝度階調；Ｌｔ）は、（１）式より、
Ｌｔ＝（１／（ｎ＋１））＾（１／γ）×Ｌｍａｘ    ・・・（１０）
そして、制御部１５は、画像を表示する際、フレームメモリ１１から出力された画像信号に基づいて、フレーム階調Ｌを求める。
そして、このＬがＬｔ以下の場合、制御部１５は、前段表示信号の輝度階調（Ｆ）を、前段ＬＵＴ１２を用いて最小（０）とする。
一方、制御部１５は、後段表示信号の輝度階調（Ｒ）を、（１）式に基づいて、
Ｒ＝（１／（ｎ＋１））＾（１／γ）×Ｌ      ・・・（１１）
となるように、後段ＬＵＴ１３を用いて設定する。
【０１５７】
また、フレーム階調ＬがＬｔより大きい場合、制御部１５は、後段表示信号の輝度階調Ｒを最大（２５５）とする。
一方、制御部１５は、前サブフレームの輝度階調Ｆを、（１）式に基づいて、
Ｆ＝（（Ｌ＾γ−（１／（ｎ＋１））×Ｌｍａｘ＾γ））＾（１／γ）・・・（１２）
とする。
【０１５８】
また、表示信号の出力動作については、フレームを３：１に分けた場合の動作において、１フレーム目のｎ／（ｎ＋１）フレーム期間後から、倍クロックで、前段表示信号と後段表示信号とを交互に出力するように設計すればよい。
【０１５９】
また、フレームを均等分割する構成は、以下のような構成であるといえる。すなわち、１フレームを「１＋ｎ（＝１）」のサブフレーム期間に分割する。そして、通常クロックの「１＋ｎ（＝１）」倍のクロックで、１つのサブフレーム期間に前段表示信号を出力し、後のｎ（＝１）個のサブフレーム期間に後段表示信号を連続的に出力する。
【０１６０】
しかしながら、この構成では、ｎが２以上となると、クロックを非常に速める必要があるため、装置コストが増大する。
従って、ｎが２以上となる場合には、上記したような前段表示信号と後段表示信号とを交互に出力する構成とすることが好ましい。
この場合には、後段表示信号の出力タイミングを調整することで、前サブフレームと後サブフレームとの割合をｎ：１とすることが可能となるため、必要となるクロック周波数を、通常の２倍に維持できる。
【０１６１】
また、本実施の形態では、制御部１５が、前段ＬＵＴ１２，後段ＬＵＴ１３を用いて、画像信号を表示信号に変換するとしている。
ここで、本表示装置に備える前段ＬＵＴ１２，後段ＬＵＴ１３を、複数としてもよい。
【０１６２】
図８は、図１に示した構成において、前段ＬＵＴ１２に変えて３つの前段ＬＵＴ１２ａ〜１２ｃ，後段ＬＵＴ１３に代えて３つの後段ＬＵＴ１３ａ〜１３ｃを備え、さらに、温度センサー１６を備えた構成である。
【０１６３】
すなわち、液晶パネル２１は、環境温度（表示部１４のおかれている環境の温度（気温））により、その応答特性や階調輝度特性の変化するものである。このため、画像信号に応じた最適な表示信号も、環境温度に応じて変化する。
【０１６４】
そして、上記の前段ＬＵＴ１２ａ〜１２ｃは、互いに異なる温度範囲での使用に適した前段ＬＵＴである。また、後段ＬＵＴ１３ａ〜１３ｃも、互いに異なる温度範囲での使用に適した後段ＬＵＴである。
【０１６５】
また、温度センサー１６は、本表示装置のおかれている環境温度を計測し、計測結果を制御部１５に伝達するものである。
【０１６６】
そして、この構成では、制御部１５は、温度センサー１６から伝達された環境温度の情報に基づいて、使用するＬＵＴを切り替えるように設計されている。従って、この構成では、画像信号に対してより適切な表示信号を液晶パネル２１に伝達できる。従って、想定される全ての温度範囲（例えば０℃〜６５℃の範囲）で、より忠実な輝度での画像表示を行うことが可能となる。
【０１６７】
また、液晶パネル２１は、交流により駆動されることが好ましい。これは、交流駆動とすることにより、フレーム毎に、画素の電荷極性（液晶を挟む画素電極間の電圧（電極間電圧）の向き）を変えられるからである。
【０１６８】
直流駆動とすると、電極間に偏った電圧がかかるため、電極に電荷がたまる。そして、この状態が続くと、電圧を印加していないときでも、電極間に電位差が発生した状態（いわゆる焼き付きという状態）になってしまう。
【０１６９】
ここで、本表示装置のようにサブフレーム表示を行う場合、サブフレーム間で、画素電極間に印加される電圧値（絶対値）が異なることが多い。
【０１７０】
従って、電極間電圧の極性をサブフレーム周期で反転させると、前サブフレームと後サブフレームとの電圧値の違いにより、印加される電極間電圧に偏りが生じる。このため、液晶パネル２１を長時間駆動させると、電極に電荷がたまり、上記した焼き付きやフリッカなどの発生する可能性がある。
【０１７１】
そこで、本表示装置では、電極間電圧の極性をフレーム周期で反転させることが好ましい。
なお、電極間電圧の極性をフレーム周期で反転させる方法は２つある。１つの方法は、１フレームの間、同極性の電圧を印加する方法である。
また、もう１つの方法は、１フレーム内の２つのサブフレーム間で電極間電圧を逆極性とし、さらに、後サブフレームと、１つ後のフレームの前サブフレームとを同極性で駆動する方法である。
【０１７２】
図９（ａ）に、前者の方法をとった場合における、電圧極性（電極間電圧の極性）とフレーム周期との関係を示す。また、図９（ｂ）に、後者の方法をとった場合における、電圧極性とフレーム周期との関係を示す。
このようにフレーム周期で電極間電圧を交流化することにより、サブフレーム間で電極間電圧が大きく異なっていても、焼き付きやフリッカを防止できる。
【０１７３】
また、上記のように、本表示装置では、サブフレーム表示によって液晶パネル２１を駆動しており、これにより、白浮きを抑制している。
しかしながら、液晶の応答速度（液晶にかかる電圧（電極間電圧）が印加電圧と等しくなるまでの速度）が遅い場合、このようなサブフレーム表示による効果が薄れてしまうことがある。
【０１７４】
すなわち、通常ホールド表示を行う場合、ＴＦＴ液晶パネルでは、ある輝度階調に対して１つの液晶状態が対応する。従って、液晶の応答特性は、表示信号の輝度階調に依存しない。
【０１７５】
一方、本表示装置のようにサブフレーム表示を行う場合、前サブフレームが最小輝度（白）で後サブフレームが最大輝度となる、中間階調の表示信号を表示する場合、１フレームで液晶に印加される電圧は、図１０（ａ）に示すように変動する。
また、電極間電圧は、液晶の応答速度（応答特性）に従って、図１０（ｂ）に実線Ｘで示すように変化する。
【０１７６】
ここで、液晶の応答速度が遅い場合、このような中間調表示を行うと、電極間電圧（実線Ｘ）は、図１０（ｃ）に示すように変化する。
従って、この場合には、前サブフレームの表示輝度が最小とならないとともに、後サブフレームの表示輝度が最大とならない。
【０１７７】
このため、予定輝度と実際輝度との関係は、図１１に示すようになる。すなわち、サブフレーム表示を行っても、視野角度の大きい場合における予定輝度と実際輝度との差（ズレ）の少なくなる輝度（最小輝度・最大輝度）での表示を行えなくなる。
このため、白浮き現象の抑制効果が減少する。
【０１７８】
従って、本表示装置のようなサブフレーム表示を良好に行うためには、液晶パネル２１における液晶の応答速度が、以下の(c)(d)を満足するように設計されていることが好ましい。
【０１７９】
(c)最小輝度（黒；最小明度に相当）を表示している液晶に最大輝度（白；最大明度に相当）となるための電圧信号（表示信号に基づいてソースドライバー２３によって生成されるもの）を与えたときに、短い方のサブフレーム期間内で、液晶の電圧（電極間電圧）が、電圧信号の電圧における９０％以上の値に到達する（正面の実際明度が最大明度の９０％に到達する。）
(d)最大輝度（白）を表示している液晶に最小輝度（黒）となるための電圧信号を与えたときに、短い方のサブフレーム期間内で、液晶の電圧（電極間電圧）が、電圧信号の電圧における５％以下の値に到達する（正面の実際明度が最小明度の５％に到達する）。
【０１８０】
また、制御部１５は、液晶の応答速度をモニターできるように設計されていることが好ましい。
そして、環境温度の変化等によって液晶の応答速度が遅くなり、上記の(c)(d)を満足できなくなったと判断した場合、制御部１５は、サブフレーム表示を中断して、液晶パネル２１を、通常ホールド表示によって駆動するように設定されていてもよい。
【０１８１】
これにより、サブフレーム表示によって白浮き現象がかえって顕著となってしまった場合に、液晶パネル２１の表示方式を通常ホールド表示に切り替えられる。
【０１８２】
また、本実施の形態では、本表示装置が液晶モニターとして機能するとしている。しかしながら、本表示装置を、液晶テレビジョン受像機（液晶テレビ）として機能させることも可能である。
このような液晶テレビは、本表示装置に、チューナ部を備えることで実現できる。このチューナ部は、テレビ放送信号のチャネルを選択し、選択されたチャネルのテレビ画像信号を、フレームメモリ１１を介して制御部１５に伝達するためのものである。
この構成では、制御部１５が、このテレビ画像信号に基づいて表示信号を生成することとなる。
【０１８３】
なお、本実施の形態では、低輝度の場合に前サブフレームを黒とし、後サブフレームのみを用いて階調表現を行うとしている。
しかしながら、サブフレームの前後関係を交換しても（低輝度の場合に後サブフレームを黒として、前サブフレームのみを用いて階調表現を行うようにしても）、同様の表示を得られる。
【０１８４】
また、本実施の形態では、（１）式を用いて表示信号（前段表示信号および後段表示信号）の輝度階調（信号階調）を設定するとしている。
しかしながら、実際のパネルでは、黒表示（階調０）の場合でも輝度を有し、さらに液晶の応答速度は有限であるため、従って、信号階調の設定に関しては、これらの要素を加味することが好ましい。すなわち、液晶パネル２１によって実際の画像を表示させて、信号階調と表示輝度との関係を実測し、実測結果に基づいて、（１）式に合うようＬＵＴ（出力テーブル）を決めることが好ましい。
【０１８５】
また、本実施の形態では、式（６ａ）に示したαを、２．２〜３の範囲であるとしている。この範囲は、厳密に導き出されたものではないが、人間の視覚感覚的にほぼ妥当であるとされている範囲である。
【０１８６】
また、本表示装置のソースドライバー２３として通常ホールド表示用のソースドライバーを用いると、入力される信号階調（表示信号の輝度階調）に応じて、γ＝２．２とした（１）式を用いて得られる表示輝度を得られるように、各画素（液晶）に対して電圧信号が出力される。
【０１８７】
そして、このようなソースドライバー２３は、サブフレーム表示を行う場合でも、各サブフレームにおいて、入力される信号階調に応じて、通常ホールド表示で使用する電圧信号をそのまま出力することとなる。
【０１８８】
しかしながら、このような電圧信号の出力方法では、サブフレーム表示における１フレーム内での輝度の総和を、通常ホールド表示での値と同一にできない（信号階調を表現しきれない）ことがある。
【０１８９】
従って、サブフレーム表示では、ソースドライバー２３は、分割した輝度に換算した電圧信号を出力するように設計されていることが好ましい。
すなわち、ソースドライバー２３が、信号階調に応じて、液晶に印加する電圧（電極間電圧）を微調整するように設定されていることが好ましい。
このため、ソースドライバー２３をサブフレーム表示用に設計し、上記のような微調整を行えるようにしておくことが好ましい。
【０１９０】
また、本実施の形態では、液晶パネル２１がＶＡパネルであるとしている。しかしながら、これに限らず、ＶＡモード以外の他のモードの液晶パネルを用いても、本表示装置のサブフレーム表示によって、白浮き現象を抑制することが可能である。
【０１９１】
すなわち、本表示装置のサブフレーム表示は、視野角度を大きくしたときに予定輝度（予定明度）と実際輝度（実際明度）とがずれてしまう液晶パネル（階調ガンマの視野角特性変化するモードの液晶パネル）に対しては、白浮き現象を抑制することが可能である。
また、特に、本表示装置のサブフレーム表示は、視野角度を増加させると表示輝度の強くなるような特性を有している液晶パネルに有効である。
【０１９２】
また、本表示装置における液晶パネル２１は、ＮＢ（Normally Black；ノーマリーブラック）であっても、また、ＮＷ（Normally White；ノーマリーホワイト）であってもよい。
さらに、本表示装置では、液晶パネル２１に変えて、他の表示パネル（例えば有機ＥＬパネルやプラズマディスプレイパネル）を用いてもよい。
【０１９３】
また、本実施の形態では、フレームを１：３〜１：７に分割することが好ましいとしている。しかしながら、これに限らず、本表示装置を、フレームを１：ｎあるいはｎ：１（ｎは１以上の自然数）の範囲で分割するように設計してもよい。
【０１９４】
また、本実施の形態では、上記した（１０）式を用いて、表示信号（前段表示信号および後段表示信号）の信号階調設定を行うとしている。
しかしながら、この設定は、液晶の応答速度を０ｍｓとし、かつ、Ｔ０（最小輝度）＝０とした設定方法である。このため、実使用の際には、さらに工夫を重ねることが好ましい。
【０１９５】
すなわち、片側のサブフレーム（後サブフレーム）で出力できる最大の輝度（閾輝度）は、液晶応答が０ｍｓでＴ０＝０の場合には、Ｔｍａｘ／（ｎ＋１）となる。そして、閾輝度階調Ｌｔは、この輝度のフレーム階調である。
Ｌｔ＝(（Ｔｍａｘ／(ｎ＋１)−Ｔ０）／（Ｔｍａｘ−Ｔ０）)＾（１／γ）
（γ＝２．２、Ｔ０＝０）
液晶の応答速度が０でない場合、例えば、黒→白がサブフレーム内でＹ％の応答、白→黒がサブフレーム内でＺ％の応答、Ｔ０＝Ｔ０とすると、閾輝度（Ｌｔの輝度）Ｔｔは、
Ｔｔ＝（（Ｔｍａｘ−Ｔ０）×Ｙ／１００＋（Ｔｍａｘ−Ｔ０）×Ｚ／１００）／２
となる。従って、
Ｌｔ＝（（Ｔｔ−Ｔ０）／（Ｔｍａｘ−Ｔ０））＾（１／γ）
（γ＝２．２）
となる。
【０１９６】
また、実際には、Ｌｔはもう少し複雑になることもあり、閾輝度Ｔｔを単純な式では表せないこともある。従って、ＬｔをＬｍａｘで表現することが困難なこともある。
このような場合にＬｔを求めるには、液晶パネルの輝度を測定した結果を用いることが好ましい。すなわち、片側のサブフレームが最大の輝度、かつ、他方のサブフレームの輝度が最小輝度の場合に液晶パネルから照射される輝度を測定して、その輝度をＴｔとする。そして、下式により、こぼれだしの階調Ｌｔを決める。
Ｌｔ＝（（Ｔｔ−Ｔ０）／（Ｔｍａｘ−Ｔ０））＾（１／γ）
（γ＝２．２）
このように、（１０）式を用いて求めたＬｔについては、理想的な値であり、目安として使用することが好ましい場合もあるといえる。
【０１９７】
ここで、本表示装置において、電極間電圧の極性をフレーム周期で反転させることが好ましい点について、より詳細に説明する。
図１２（ａ）は、表示輝度がＬｍａｘの３／４および１／４の場合に、前サブフレームおよび後サブフレームによって表示される輝度を示すグラフである。
この図に示すように、本表示装置のようにサブフレーム表示を行う場合、サブフレーム間で、液晶に印加される電圧値（画素電極間に印加される電圧値；絶対値）は異なる。
【０１９８】
従って、液晶に印加される電圧（液晶電圧）の極性をサブフレーム周期で反転させると、図１２（ｂ）に示すように、前サブフレームと後サブフレームとの電圧値の違いにより、印加される液晶電圧に偏りが生じる（トータルの印加電圧が０Ｖとならない）。このため、液晶電圧の直流成分をキャンセルできなくなり、液晶パネル２１を長時間駆動させると、電極に電荷がたまり、焼き付きやフリッカなどの発生する可能性がある。
【０１９９】
そこで、本表示装置では、液晶電圧の極性をフレーム周期で反転させることが好ましい。
なお、液晶電圧の極性をフレーム周期で反転させる方法は２つある。１つの方法は、１フレームの間、同極性の電圧を印加する方法である。
また、もう１つの方法は、１フレーム内の２つのサブフレーム間で液晶電圧を逆極性とし、さらに、後サブフレームと、１つ後のフレームの前サブフレームとを同極性とする方法である。
【０２００】
図１３（ａ）は、前者の方法をとった場合における、電圧極性（液晶電圧の極性）とフレーム周期および液晶電圧との関係を示すグラフである。一方、図１３（ｂ）は、後者の方法をとった場合の、同様のグラフである。
【０２０１】
これらのグラフに示すように、液晶電圧を１フレーム周期で反転させる場合、隣り合う２つのフレーム間で、前サブフレームどうしのトータル電圧、および、後サブフレームのトータル電圧を、０Ｖとできる。従って、２フレームでのトータル電圧を０Ｖとできるので、印加電圧の直流成分をキャンセルすることが可能となる。
このようにフレーム周期で液晶電圧を交流化することにより、サブフレーム間で液晶電圧が大きく異なっていても、焼き付きやフリッカを防止できる。
【０２０２】
また、図１４（ａ）〜（ｄ）は、液晶パネル２１における４つの画素と、各画素の液晶電圧の極性を示す説明図である。
上記したように、１つの画素に印加される電圧については、フレーム周期で極性を反転させることが好ましい。この場合、各画素の液晶電圧の極性は、フレーム周期ごとに、図１４（ａ）〜（ｄ）の順で示すように変化することとなる。
【０２０３】
ここで、液晶パネル２１の全画素に印加される液晶電圧の和については、０Ｖとすることが好ましい。このような制御については、例えば、図１４（ａ）〜（ｄ）に示すように、隣接する画素間で電圧極性を変えることで実現できる。
【０２０４】
また、本表示装置を、画素分割駆動（面積階調駆動）するように設計してもよい。
以下に、本表示装置の画素分割駆動について説明する。図１５は、画素分割で駆動される液晶パネル２１の構成を示す説明図である。
【０２０５】
この図に示すように、画素分割駆動では、液晶パネル２１のゲートラインＧおよびソースラインＳに接続された１つの画素Ｐを、２つ副画素（サブピクセル）ＳＰ１・ＳＰ２に分割する。そして、各副画素ＳＰ１・ＳＰ２に印加する電圧を変えて、表示を行うようになる。
なお、このような画素分割駆動については、例えば、特許文献４〜７に記載されている。
【０２０６】
以下に、画素分割駆動について、簡単に説明する。
図１５に示すように、画素分割駆動を行う構成の本表示装置では、１つの画素Ｐを挟むように、異なる２本の補助容量配線ＣＳ１・ＣＳ２が配されている。これら補助容量配線ＣＳ１・ＣＳ２は、それぞれ、副画素ＳＰ１・ＳＰ２の一方に接続されている。
【０２０７】
また、各副画素ＳＰ１・ＳＰ２内には、ＴＦＴ３１，液晶容量３２，補助容量３３が設けられている。
ＴＦＴ３１は、ゲートラインＧおよびソースラインＳおよび液晶容量３２に接続されている。補助容量３３は、ＴＦＴ３１，液晶容量３２および補助容量配線ＣＳ１あるいはＣＳ２に接続されている。
この補助容量配線ＣＳ１・ＣＳ２には、所定周波数の交流電圧信号である補助信号が印加されている。また、補助容量配線ＣＳ１・ＣＳ２に印加される補助信号の位相は、互いに反転している（１８０°異なっている）。
【０２０８】
液晶容量３２は、ＴＦＴ３１，共通電圧Ｖｃｏｍおよび補助容量３３に接続されている。また、液晶容量３２は、自身とゲートラインＧとの間に生成される、寄生容量３４に接続される。
【０２０９】
この構成において、ゲートラインＧがＯＮ状態となると、１つの画素Ｐにおける両副画素ＳＰ１・ＳＰ２のＴＦＴ３１が導通状態となる。
図１６（ａ）（ｃ）は、このときにソースラインＳに正（≧Ｖｃｏｍ）の表示信号が印加された場合における、副画素ＳＰ１・ＳＰ２の液晶容量３２に印加される電圧（液晶電圧）を示すグラフである。
この場合、これらの図１６（ａ）（ｃ）に示すように、両副画素ＳＰ１・ＳＰ２の液晶容量３２の電圧値は、表示信号に応じた値（Ｖ０）まで上昇する。
【０２１０】
そして、ゲートラインＧがＯＦＦ状態となると、寄生容量３４に起因するゲート引き込み現象の影響で、液晶電圧がＶｄだけ下がる。
このとき、図１６（ａ）に示すように、補助容量配線ＣＳ１の補助信号が立ち上がった場合（ローからハイになった場合）、これに接続されている副画素ＳＰ１の液晶電圧は、Ｖｃｓ（補助容量配線ＣＳ１に流れる補助信号の振幅に応じた値）だけ上昇する。そして、Ｖ０〜Ｖ０−Ｖｄの間で、補助容量配線ＣＳの周波数に応じて、振幅Ｖｃｓをもって、補助信号の周波数に応じて振動することとなる。
【０２１１】
一方、この場合には、図１６（ｃ）に示すように、補助容量配線ＣＳ２の補助信号は立ち下がる（ハイからローになる）。そして、これに接続されている副画素ＳＰ２の液晶電圧は、補助信号の振幅に応じた値Ｖｃｓだけ下降する。その後、Ｖ０−Ｖｄ〜Ｖ０−Ｖｄ−Ｖｃｓの間で振動する。
【０２１２】
また、図１６（ｂ）（ｄ）は、ゲートラインＧがＯＮとなったときにソースラインＳに負（≦Ｖｃｏｍ）の表示信号が印加された場合における、副画素ＳＰ１・ＳＰ２の液晶電圧を示すグラフである。
この場合、これらの図に示すように、副画素ＳＰ１・ＳＰ２の液晶電圧は、表示信号に応じた値（−Ｖ１）まで下降する。
【０２１３】
その後、ゲートラインＧがＯＦＦ状態となると、上記の引き込み現象によって、液晶電圧はＶｄだけさらに下がる。
このとき、図１６（ｂ）に示すように、補助容量配線ＣＳ１の補助信号が立ち下がった場合、これに接続されている副画素ＳＰ１の液晶電圧は、Ｖｃｓだけさらに下降する。そして、−Ｖ０−Ｖｄ−Ｖｃｓ〜−Ｖ０−Ｖｄの間で振動することとなる。
【０２１４】
一方、この場合には、図１６（ｄ）に示すように、補助容量配線ＣＳ２の補助信号は立ち上がる。そして、これに接続されている副画素ＳＰ２の液晶電圧は、Ｖｃｓだけ上昇する。その後、Ｖ０−Ｖｄ〜Ｖ０−Ｖｄ−Ｖｃｓの間で振動する。
【０２１５】
このように、補助容量配線ＣＳ１・ＣＳ２に位相の１８０°異なる補助信号を印加することで、副画素ＳＰ１・ＳＰ２の液晶電圧を、互いに異ならせることが可能となる。
【０２１６】
すなわち、ソースラインＳの表示信号が正の場合、引き込み現象の直後に立ち上がる補助信号を入力する副画素については、液晶電圧の絶対値が表示信号電圧より高くなる（図１６（ａ））。
一方、このときに立ち下がる補助信号を入力する副画素については、液晶電圧の絶対値が表示信号電圧より低くなる（図１６（ｃ））。
【０２１７】
また、ソースラインＳの表示信号が負の場合、引き込み現象の直後に電位が立ち下がる補助信号を入力する副画素については、液晶容量３２の印加電圧の絶対値が表示信号電圧より高くなる（図１６（ｂ））。
一方、このときに立ち上がる補助信号を入力する副画素については、液晶電圧の絶対値が表示信号電圧より低くなる（図１６（ｄ））。
【０２１８】
従って、図１６（ａ）〜（ｄ）に示した例では、副画素ＳＰ１の液晶電圧（絶対値）が、副画素ＳＰ２よりも高くなる（副画素ＳＰ１の表示輝度が、副画素ＳＰ２より高くなる）。
また、副画素ＳＰ１・ＳＰ２の液晶電圧の差（Ｖｃｓ）については、補助容量配線ＣＳ１・ＣＳ２に印加する補助信号の振幅値に応じて制御できる。これにより、２つの副画素ＳＰ１・ＳＰ２の表示輝度（第１輝度，第２輝度）に、所望の差をつけることが可能となる。
【０２１９】
表１に、輝度の高くなる副画素（明画素）および輝度の低くなる副画素（暗画素）に印加される、液晶電圧の極性と、引き込み現象の直後での補助信号の状態をまとめて示す。なお、この表では、液晶電圧の極性を「＋，−」でしめしている。また、引き込み現象の直後で補助信号が立ち上がる場合を「↑」で、立ち下がる場合を「↓」で示している。
【０２２０】
【表１】
2005234552.tif 000003
【０２２１】
なお、画素分割駆動では、画素Ｐの輝度は、２つの副画素ＳＰ１・ＳＰ２の輝度（液晶の透過率に相当）の合計となる。
【０２２２】
図１７は、画素分割駆動を行わない場合における、２つの視野角（０°（正面）および６０°）での、液晶パネル２１の透過率と印加電圧との関係を示すグラフである。
このグラフに示すように、正面での透過率がＮＡの場合（ＮＡとなるように液晶電圧を制御した場合）、視野角６０°での透過率はＬＡとなる。
ここで、画素分割駆動において正面の透過率をＮＡとするためには、２つの副画素ＳＰ１・ＳＰ２に、Ｖｃｓだけ異なる電圧を印加し、それぞれの透過率をＮＢ１・ＮＢ２とすればよい（ＮＡ＝（ＮＢ１＋ＮＢ２）／２）。
【０２２３】
また、副画素ＳＰ１・ＳＰ２における０°での透過率がＮＢ１・ＮＢ２である場合、６０°での透過率はＬＢ１・ＬＢ２となる。そして、ＬＢ１は、ほぼ０である。従って、１画素での透過率はＭ（ＬＢ２／２）となり、ＬＡより低くなる。
このように、画素分割駆動を行うことで、視野角特性を向上させることが可能となる。
【０２２４】
また、例えば、画素分割駆動を用いれば、ＣＳ信号の振幅を大きくすることにより、一方の副画素の輝度を黒表示（白表示）とし、他方の副画素の輝度を調整することで、低輝度（高輝度）の画像を表示することも可能である。これにより、サブフレーム表示と同様に、一方の副画素における表示輝度と実際輝度とのズレを最小にできるため、視野角特性をさらに向上させられる。
【０２２５】
また、上記の構成において、一方の副画素を黒表示（白表示）としない構成としてもよい。すなわち、双方の副画素に輝度差が生じれば、原理的には、視野角を改善できる。従って、ＣＳ振幅を小さくできるので、パネル駆動の設計が容易となる。
また、全ての表示信号に関して、副画素ＳＰ１・ＳＰ２の輝度に差をつける必要はない。例えば、白表示・黒表示の際には、これらの輝度を等しくすることが好ましい。従って、少なくとも１つの表示信号（表示信号電圧）に対して、副画素ＳＰ１を第１輝度とする一方、副画素ＳＰ２を、第１輝度とは異なる第２輝度とするように設計されていればよい。
【０２２６】
また、上記の画素分割駆動については、フレームごとに、ソースラインＳに印加する表示信号の極性を変更することが好ましい。すなわち、あるフレームで副画素ＳＰ１・ＳＰ２を図１６（ａ）（ｃ）のように駆動した場合、次のフレームでは、図１６（ｂ）（ｄ）のように駆動することが好ましい。
【０２２７】
これにより、画素Ｐの２つの液晶容量３２にかかる、２フレームでのトータル電圧を０Ｖとできる。従って、印加電圧の直流成分をキャンセルすることが可能となる。
【０２２８】
なお、上記した画素分割駆動では、１つの画素を２つに分割するとしている。しかしながら、これに限らず、１つの画素を３つ上の副画素に分割してもよい。
【０２２９】
また、上記したような画素分割駆動については、通常ホールド表示と組み合わせてもよいし、サブフレーム表示とを組み合わせてもよい。さらに、図１２（ａ）（ｂ）および図１３（ａ）（ｂ）を用いて示した、極性反転駆動を組み合わせてもよい。
以下に、画素分割駆動，サブフレーム表示および極性反転駆動の組み合わせについて説明する。
【０２３０】
図１８（ａ）は、図１３（ａ）と同様の、１フレームごとに液晶電圧の極性を反転させながらサブフレーム表示を行う場合における、液晶電圧（１画素分）の変化を示すグラフである。
【０２３１】
このような極性反転駆動によるサブフレーム表示と画素分割駆動と組み合わせる場合、各副画素の液晶電圧は、図１８（ｂ）（ｃ）に示すように変遷する。
すなわち、図１８（ｂ）は、画素分割駆動において輝度の高くなる副画素（明画素）の液晶電圧を、また、図１８（ｃ）は、同じく輝度の低くなる副画素（暗画素）の液晶電圧を示すグラフである。
なお、波線は画素分割駆動を行わない場合の液晶電圧を示す一方、実線は、画素分割駆動を行う場合の液晶電圧を示している。
また、図１９（ａ）（ｂ）は、図１８（ｂ）（ｃ）に対応する、明画素および暗画素の輝度を示すグラフである。
【０２３２】
なお、これらの図に示した↑，↓は、引き込み現象の直後での補助信号の状態（引き込み現象の直後で立ち上がるか、立ち下がるか）を示す記号である。
これらの図に示すように、この場合には、各副画素の液晶電圧極性を、１フレームごとに反転させる。これは、サブフレーム間で異なる液晶電圧を、適切にキャンセルする（２フレームでのトータルの液晶電圧を０Ｖとする）ためである。
また、補助信号の状態（引き込み現象の直後での位相；↑，↓）については、極性の反転と同じ位相で反転させる。
【０２３３】
このように駆動すると、図１８（ｂ）（ｃ）および図１９（ａ）（ｂ）に示すように、両サブフレームでの液晶電圧（絶対値）および輝度は、明画素では高くなる一方、暗画素では低くなる。
また、前サブフレームの明画素での液晶電圧の増加量は、暗画素での減少量と一致する。同様に、後サブフレームの明画素での液晶電圧の増加量は、暗画素での減少量と等しくなる。
【０２３４】
従って、１画素に印加される液晶電圧に極性の偏りが生じることを防止できるので、２フレームでのトータルの液晶電圧を０Ｖとできる（なお、前サブフレームと後サブフレームとでは、画素分割駆動による液晶電圧の増加量（減少量）は異なる。これは、液晶の透過率に応じて容量が変化してしまうために起こる）。
【０２３５】
ここで、上記では、各副画素の液晶電圧極性を、１フレームごとに反転させるとしている。しかしながら、これに限らず、液晶電圧の極性については、フレーム周期で反転させればよい。
従って、図１３（ｂ）に示したように、１フレーム内の２つのサブフレーム間で液晶電圧を逆極性とし、さらに、後サブフレームと、１つ後のフレームの前サブフレームとを同極性とするようにしてもよい。
【０２３６】
図２０（ａ）（ｂ）は、このように極性反転を行う場合における、明画素および暗画素の輝度を示すグラフである。
この場合も、補助信号の状態（↑，↓）については、極性の反転と同位相で反転させることで、２フレームでのトータルの液晶電圧を０Ｖとできる。
【０２３７】
図２１は、本表示装置によって上記のようにサブフレーム表示，極性反転駆動および画素分割駆動を組み合わせて表示を行った結果（破線および実線）と、通常ホールド表示を行った結果（一点鎖線および実線；図２に示したものと同様）と合わせて示すグラフである。
このグラフに示すように、視野角を６０°とする場合、サブフレーム表示と画素分割駆動とを組み合わせることで、実際輝度を予定輝度に非常に近づけることが可能となる。従って、サブフレーム表示と画素分割駆動との相乗効果によって、視野角特性を極めて良好な状態とできることがわかる。
【０２３８】
なお、上記では、補助信号の状態（引き込み現象の直後での位相；↑，↓）については、極性の反転と同位相で反転させるとしている。これに対し、極性反転を無視して、サブフレームごとに補助信号の状態を変えてしまうと、液晶電圧を適切にキャンセルできなくなる。
【０２３９】
すなわち、補助信号の状態に応じた液晶電圧の変動量は、もとの液晶電圧の大きさ（絶対値）によって変わる（液晶電圧が大きい場合、変動量も大きくなる）。そして、上記したように、前サブフレームと後サブフレームとでは、画素分割駆動による液晶電圧の増加量（減少量）は異なる（図１８（ｂ）（ｃ）の例では、後サブフレームの変動量が前サブフレームより多くなる）。
【０２４０】
従って、図１８（ａ）に示したように液晶電圧を印加する場合、サブフレームごとに補助信号の状態（位相）を反転させると、図２２（ａ）に示すように、明画素では、後サブフレームの液晶電圧が大きく減少する。一方、前サブフレームの液晶電圧はすこしだけ増加する。
また、図２２（ｂ）に示すように、暗画素では、後サブフレームの液晶電圧が大きく増大する一方、前サブフレームの液晶電圧はすこしだけ減少する。
従って、２フレーム全体でのトータルの液晶電圧を０Ｖとにできず（明画素では負、暗画素では正になる）、その直流成分をキャンセルできない。このため、焼き付きやフリッカなどを十分に防止できないこととなる。
【０２４１】
また、本実施の形態では、前サブフレーム期間と後サブフレーム期間との比（フレームの分割比）を、３：１〜７：１に設定することが好ましいとしている。しかしながら、これに限らず、フレームの分割比を、１：１あるいは２：１に設定してもよい。
【０２４２】
例えば、フレームの分割比を１：１とする場合、図３に示したように、通常ホールド表示に比して、実際輝度を予定輝度に近づけることが可能となる。また、図６に示したように、明度に関しても、通常ホールド表示に比して、実際明度を予定明度に近くできる。
従って、この場合でも、通常ホールド表示に比して、視野角特性を改善できることは明らかである。
【０２４３】
また、液晶パネル２１では、液晶電圧（液晶に印加される電圧；電極間電圧）を表示信号に応じた値とするまでに、液晶の応答速度に応じた時間がかかる。従って、いずれかのサブフレーム期間が短すぎると、この期間内に、液晶の電圧を表示信号に応じた値にまで上げられない可能性がある。
【０２４４】
従って、前サブフレームと後サブフレーム期間との比を、１：１あるいは２：１に設定することで、一方のサブフレーム期間を短くしすぎることを防止できる。従って、応答速度の遅い液晶を用いても、適切な表示を行える。
【０２４５】
また、フレームの分割比（前サブフレームと後サブフレームとの比）については、ｎ：１（ｎは７以上の自然）に設定してもよい。
また、この分割比を、ｎ：１（ｎは１以上の実数（より好ましくは１より大きい実数））としてもよい。例えば、この分割比を１．５：１に設定することで、１：１とする場合に比して視野角特性を向上させられる。また、２：１とする場合に比べて、応答速度の遅い液晶材料を使用することが容易となる。
【０２４６】
また、フレームの分割比をｎ：１（ｎは１以上の実数）とする場合でも、「最大輝度の（ｎ＋１）分の１（Ｔｍａｘ／（ｎ＋１））」までの低輝度（低明度）の画像を表示する際には、前サブフレームを黒表示とし、後サブフレームのみを用いて表示を行うことが好ましい。
また、「Ｔｍａｘ／（ｎ＋１）」以上の高輝度（高明度）の画像を表示するときには、後サブフレームを白表示とし、前サブフレームの輝度だけを調整して表示を行うことが好ましい。
これにより、常に１つのサブフレームを、実際輝度と予定輝度との差のない状態としておける。従って、本表示装置の視野角特性を良好にできる。
【０２４７】
ここで、フレームの分割比をｎ：１にする場合、前フレームをｎとしても後フレームｎとしても実質的に同じ効果が狙える。すなわちｎ：１と１：ｎは視野角改善効果に関しては同一である。
また、ｎは１以上の実数とした場合でも、上記した（１０）〜（１２）式を用いた輝度階調の制御については有効である。
【０２４８】
また、本実施の形態では、本表示装置のサブフレーム表示を、フレームを２つのサブフレームに分割して行う表示であるとしている。しかしながら、これに限らず、本表示装置を、フレームを３つ以上のサブフレームに分割したサブフレーム表示を行うように設計してもよい。
【０２４９】
フレームをｍ個に分割する場合のサブフレーム表示では、輝度の非常に低い場合には、ｍ−１個のサブフレームを黒表示とする一方、１つのサブフレームの輝度（輝度階調）だけを調整して表示を行う。そして、このサブフレームだけでは表現できないくらい輝度の高くなった場合に、このサブフレームを白表示とする。そして、ｍ−２個のサブフレームを黒表示とする一方、残った１つのサブフレームの輝度を調整して表示を行う。
【０２５０】
すなわち、フレームをｍ個に分割する場合でも、２個に分割するときと同様に、輝度を調整する（変化させる）サブフレームを常に１つとし、他のサブフレームを白表示あるいは黒表示としておくことが好ましい。これにより、ｍ−１個のサブフレームを、実際輝度と予定輝度とのズレのない状態とできる。従って、本表示装置の視野角特性を良好にできる。
【０２５１】
図２３は、本表示装置によって、均等な３つのサブフレームにフレームを分割して表示を行った結果（破線および実線）と、通常ホールド表示を行った結果（一点鎖線および実線；図２に示したものと同様）と合わせて示すグラフである。
このグラフに示すように、サブフレームを３つに増やした場合、実際輝度を予定輝度に非常に近づけることが可能となる。従って、本表示装置の視野角特性をより良好な状態とできることがわかる。
【０２５２】
また、フレームをｍ個に分割する場合でも、上記した極性反転駆動を行うことが好ましい。図２４は、フレームを３つに分割し、フレームごとに電圧極性を反転した場合における、液晶電圧の遷移を示すグラフである。
この図に示すように、この場合でも、２フレームでのトータルの液晶電圧を０Ｖとできる。
【０２５３】
また、図２５は、同様にフレームを３つに分割し、サブフレームごとに電圧極性を反転した場合における、液晶電圧の遷移を示すグラフである。
このように、フレームを奇数個に分割する場合には、サブフレームごとに電圧極性を反転させても、２フレームでのトータルの液晶電圧を０Ｖとできる。
従って、フレームをｍ個（ｍ；２以上の整数）に分割した場合には、隣接するフレーム間のＭ番目（Ｍ；１〜ｍ）のサブフレームどうしが、異なる極性の液晶電圧を印加されている状態とすることが好ましいといえる。これにより、２フレームでのトータルの液晶電圧を０Ｖとできる。
【０２５４】
また、フレームをｍ個（ｍ；２以上の整数）に分割した場合には、２フレーム（あるいはより多くのフレーム）でのトータルの液晶電圧を０Ｖとするように、液晶電圧の極性を反転させることが好ましいといえる。
【０２５５】
また、上記では、フレームをｍ個に分割する場合、輝度を調整するサブフレームを常に１つとし、他のサブフレームを白表示（最大輝度）あるいは黒表示（最小輝度）とするとしている。
【０２５６】
しかしながら、これに限らず、輝度を調整するサブフレームを２つ以上としてもよい。この場合でも少なくとも１つのサブフレームを白表示（最大輝度）あるいは黒表示（最小輝度）とすることで、視野角特性を向上させられる。
【０２５７】
また、輝度を調整しないサブフレームの輝度を、最大輝度とする代わりに「最大または第２所定値より大きい値」としてもよい。また、最小輝度とする代わりに、「最小または第１所定値より小さい値」としてもよい。
この場合でも、輝度を調整しないサブフレームにおける実際明度と予定明度とのズレ（明度ズレ）を十分に小さくできる。従って、本表示装置の視野角特性を向上させられる。
【０２５８】
ここで、図２６は、輝度を調整しないサブフレームにおける、表示部１４に出力される信号階調（％；表示信号の輝度階調）と、各信号階調に応じた実際輝度階調（％）との関係（視野角階調特性（実測））を示すグラフである。
【０２５９】
なお、実際輝度階調とは、「各信号階調に応じて表示部１４の液晶パネル２１から出力された輝度（実際輝度）を、上記した（１）式を用いて輝度階調に変換したもの」である。
【０２６０】
このグラフに示すように、上記した２つの階調は、液晶パネル２１の正面（視野角度０度）においては等しくなる。一方、視野角度を６０度としたときには、白浮きのため、実際輝度階調が中間調で信号階調より明るくなる。また、この白浮きは、視野角度によらず、輝度階調が２０％〜３０％の間となるときに最大値をとる。
【０２６１】
ここで、このような白浮きについては、上記のグラフに破線で示した「最大値の１０％」を越えていない場合には、本表示装置の十分に表示品位を保てる（上記した明度ズレを十分に小さくできる）ことがわかっている。また、白浮きが「最大値の１０％」を越えないような信号階調の範囲は、信号階調の最大値の８０〜１００％、および、０〜０．０２％である。また、この範囲は、視野角度が変化しても不変である。
【０２６２】
従って、上記した第２所定値としては、最大輝度の８０％に設定することが好ましく、また、第１所定値としては、最大輝度の０．０２％に設定することが好ましいといえる。
【０２６３】
また、輝度を調整しないサブフレームを設けなくてもよい。すなわち、ｍ個のサブフレームで表示を行う場合、各サブフレームの表示状態に差をつけなくてもよい。このような構成であっても、上記したような、フレーム周期で液晶電圧の極性を反転する極性反転駆動を行うことが好ましい。
なお、ｍ個のサブフレームで表示を行う場合、各サブフレームの表示状態に少しでも差をつけるだけで、液晶パネル２１の視野角特性を向上させることは可能である。
【０２６４】
また、上記では、本表示装置における全ての処理を、制御部１５の制御により行うとしている。しかしながら、これに限らず、これらの処理を行うためのプログラムを記録媒体に記録し、このプログラムを読み出すことのできる情報処理装置を、制御部１５に代えて用いるようにしてもよい。
【０２６５】
この構成では、情報処理装置の演算装置（ＣＰＵやＭＰＵ）が、記録媒体に記録されているプログラムを読み出して処理を実行する。従って、このプログラム自体が処理を実現するといえる。
【０２６６】
ここで、上記の情報処理装置としては、一般的なコンピューター（ワークステーションやパソコン）の他に、コンピューターに装着される、機能拡張ボードや機能拡張ユニットを用いることができる。
【０２６７】
また、上記のプログラムとは、処理を実現するソフトウェアのプログラムコード（実行形式プログラム，中間コードプログラム，ソースプログラム等）のことである。このプログラムは、単体で使用されるものでも、他のプログラム（ＯＳ等）と組み合わせて用いられるものでもよい。また、このプログラムは、記録媒体から読み出された後、装置内のメモリ（ＲＡＭ等）にいったん記憶され、その後再び読み出されて実行されるようなものでもよい。
【０２６８】
また、プログラムを記録させる記録媒体は、情報処理装置と容易に分離できるものでもよいし、装置に固定（装着）されるものでもよい。さらに、外部記憶機器として装置に接続するものでもよい。
【０２６９】
このような記録媒体としては、ビデオテープやカセットテープ等の磁気テープ、フロッピー（登録商標）ディスクやハードディスク等の磁気ディスク、ＣＤ−ＲＯＭ，ＭＯ，ＭＤ，ＤＶＤ，ＣＤ−Ｒ等の光ディスク（光磁気ディスク）、ＩＣカード，光カード等のメモリカード、マスクＲＯＭ，ＥＰＲＯＭ，ＥＥＰＲＯＭ，フラッシュＲＯＭ等の半導体メモリなどを適用できる。
【０２７０】
また、ネットワーク（イントラネット・インターネット等）を介して情報処理装置と接続されている記録媒体を用いてもよい。この場合、情報処理装置は、ネットワークを介するダウンロードによりプログラムを取得する。すなわち、上記のプログラムを、ネットワーク（有線回線あるいは無線回線に接続されたもの）等の伝送媒体（流動的にプログラムを保持する媒体）を介して取得するようにしてもよい。なお、ダウンロードを行うためのプログラムは、装置内（あるいは送信側装置・受信側装置内）にあらかじめ記憶されていることが好ましい。
【０２７１】
また、本発明の表示装置について、以下のように表現することもできる。
すなわち、本発明の表示装置（本表示装置）は、１フレームを、第１および第２サブフレームからなる２つのサブフレームに分割して画像表示を行う表示装置において、入力された表示信号の輝度階調に基づいた輝度の画像を表示する表示部と、１フレームに表示部から出力される輝度の総和をフレームの分割によって変えないように、第１サブフレームの表示信号である第１表示信号と、第２サブフレームの表示信号である第２表示信号とを生成し、倍クロックで表示部に出力する制御部とを備えており、この制御部が、低明度の画像を表示する場合に、第１表示信号の輝度階調を調整する一方、第２表示信号の輝度階調を最小とし、高明度の画像を表示する場合に、第１表示信号の輝度階調を最大とする一方、第２表示信号の輝度階調を調整し、さらに、第１サブフレームの期間と第２サブフレームの期間との比を、１：ｎ（ｎは１以上の自然数）とするようにフレームを分割するように設定されている、ことを特徴とするものである。
【０２７２】
本表示装置は、液晶パネルなどの表示画面を備えた表示部を用いて画像を表示するものである。
そして、本表示装置は、制御部が、サブフレーム表示によって表示部を駆動するようになっている。ここで、サブフレーム表示とは、１つのフレームを複数（本表示装置では２つ）のサブフレーム（第１および第２サブフレーム）に分けて行う表示方法である。
【０２７３】
すなわち、制御部は、１フレーム期間に、表示部に対して、表示信号を２回出力する（第１サブフレームの表示信号である第１表示信号と、第２サブフレームの表示信号である第２表示信号とを出力する）。
これにより、制御部は、両サブフレーム期間で、表示部の表示画面の全ゲートラインを１回づつＯＮとする（１フレームに２回ＯＮとする）こととなる。
【０２７４】
また、制御部は、表示信号の出力周波数（クロック）を、通常ホールド表示時の倍（倍クロック）とするようになっている。
なお、通常ホールド表示とは、フレームをサブフレームに分割せずに行う通常の表示（１フレーム期間で、表示画面の全ゲートラインを１回だけＯＮとする表示）のことである。
【０２７５】
また、表示部（表示画面）は、制御部から入力された表示信号の輝度階調に基づいた輝度の画像を表示するように設計されている。
そして、制御部は、フレームを分割することによって、１フレームに画面から出力される輝度の総和（全輝度）を変えないように、第１表示信号および第２表示信号を生成する（これらの表示信号の輝度階調を設定する）ようになっている。
【０２７６】
また、通常、表示部の表示画面は、画像の明度（および輝度）が最小あるいは最大の場合に、大きな視野角度での実際明度と予定明度とのズレが最小（０）となる。
【０２７７】
ここで、明度とは、表示される画像の輝度に応じた、人間の感じる明るさの度合いである（後述する実施形態における（５）（６）式参照）。なお、１フレームで出力される輝度の総和が不変の場合、同じく１フレームで出力される明度の総和も変わらない。
【０２７８】
また、予定明度とは、表示画面から出力されるはずの明度（表示信号の輝度階調に応じた値）のことである。
また、実際明度とは、画面から実際に出力された明度のことであり、視野角度に応じて変化する値である。また、画面の正面では、これら実際明度と予定明度とは等しくなる。
【０２７９】
そして、本表示装置では、制御部が、低明度の画像を表示する場合（第１サブフレームのみで全明度を表示可能な場合）に、第２表示信号の輝度階調を最小とする一方、第１表示信号の輝度階調を調整することで階調表現を行う。
従って、第２サブフレームで表示される明度は最小となるため、第２サブフレームでのズレを最小とできる。
【０２８０】
一方、高明度の画像を表示する場合（第１サブフレームのみでは全明度を表示できない場合）、制御部は、第１表示信号の輝度階調を最大とする一方、第２表示信号の輝度階調を調整することで階調表現を行う。このため、この場合には、第１サブフレームで表示される明度が最大となるため、第１サブフレームでのズレを最小とできる。
【０２８１】
さらに、本表示装置では、制御部が、第１サブフレームの期間と第２サブフレームの期間との比を、１：ｎ（ｎは１以上の自然数）とするようにフレームを分割するように設計されている。
【０２８２】
ここで、表示部の表示画面を液晶パネルから構成した場合、液晶の電圧を表示信号に応じた値とするまでに、液晶の応答速度に応じた時間がかかる。従って、いずれかのサブフレームの期間が短すぎると、この期間内に、液晶の電圧を表示信号に応じた値にまで上げられない可能性がある。
【０２８３】
従って、第１サブフレームの期間と第２サブフレームの期間との比を、１：１あるいは１：２に設定することで、一方のサブフレーム期間を短くしすぎることを防止できる。従って、応答速度の遅い液晶を用いても、適切な表示を行える。
【０２８４】
また、フレームの分割点については、第１サブフレームおよび第２サブフレームの双方で、実際明度と予定明度とのズレを最小とできる点（第１表示信号の輝度が最大で、かつ、第２表示信号の輝度が最小となる点）とすることも好ましい。
そして、通常ホールド表示では、実際明度と予定明度とのズレは、フレームを１：３〜１：７に分割する点で最も大きくなる。
【０２８５】
従って、本表示装置では、通常ホールド表示でズレの最も大きくなる点でフレームを分割することによって、この点でのズレを最小にできる。
これにより、本表示装置では、通常ホールド表示を行う構成に比して、１フレームでのズレを約半分に減らすことが可能となり、このズレに起因する白浮き現象を抑制できるようになっている。
【０２８６】
なお、上記のような、第１サブフレームの期間と第２サブフレームの期間との比を１：ｎとするサブフレーム表示を行う場合、制御部は、以下のように第１表示信号および第２表示信号を生成することが好ましい。
【０２８７】
すなわち、まず制御部は、１フレームで表示される輝度の最大値Ｌｍａｘ、および、所定値γに基づいて、
Ｌｔ＝（１／（ｎ＋１））＾（１／γ）×Ｌｍａｘ
なるＬｔを求める。
【０２８８】
次に、制御部は、通常ホールド表示を行う場合に出力される表示信号の輝度階調であるフレーム階調ＬがＬｔ以下であるか否かを判断する。
そして、制御部は、このフレーム階調ＬがＬｔ以下である場合、第２表示信号の輝度階調Ｆを最小（０）とする一方、第１表示信号の輝度階調Ｒを、
Ｒ＝（１／（ｎ＋１））＾（１／γ）×Ｌ
となるように設定する。
【０２８９】
さらに、制御部は、また、フレーム階調ＬがＬｔより大きいと判断した場合、第１表示信号の輝度階調Ｒを最大とする一方、第２表示信号の輝度階調Ｆを、
Ｆ＝（（Ｌ＾γ−（１／（ｎ＋１））×Ｌｍａｘ＾γ））＾（１／γ）
となるように設定する。
これにより、第１および第２表示信号を容易に生成できる。
【０２９０】
また、上記のような、第１サブフレームの期間と第２サブフレームの期間との比を１：ｎとするサブフレーム表示を行う場合、表示信号の出力動作については、例えば、上記のように求められた第１表示信号と第２表示信号とを、１／（ｎ＋１）周期の差をもって、表示部に交互に出力することが好ましい。すなわち、１フレーム１：ｎに分割した際、分割した時間幅を維持したまま、第一表示信号と第２表示信号をそれぞれ１ライン表示毎に交互に出力することが好ましい。
【０２９１】
このように表示信号を出力すれば、ｎがどのような自然数であっても、フレームを１：ｎに分割できる。
さらに、この構成では、表示信号の出力周波数を、常に倍クロックに維持できる。従って、ｎが２以上の場合でも、出力周波数をｎ＋１倍する必要がないので、低コストでサブフレーム表示を行える。
【０２９２】
また、本表示装置では、表示部の表示画面を、液晶パネルから構成することが好ましい。上記のような白浮き現象は、液晶パネルにおいて顕著なものである。従って、本表示装置のサブフレーム表示は、液晶パネルの表示画面を有する構成において、特に有効である。
【０２９３】
また、液晶パネルの白浮き現象は、ＶＡモードなどの、視野角度を増加させると表示輝度の強くなるような特性を有している場合に、顕著となる。従って、このような液晶パネルを有する構成にとって、本表示装置のサブフレーム表示は特に有効であるといえる。
【０２９４】
また、本表示装置のサブフレーム表示は、倍クロックで表示信号を出力するため、液晶パネルにおける液晶の応答速度の遅い場合には、有効でない場合もある。
【０２９５】
従って、制御部は、液晶パネルの液晶応答速度が、以下の(c)(d)の条件を満足しているか否かを判断し、満足していない場合には、通常ホールド表示を行うように設計されていることが好ましい。
(c)最小明度（最小輝度）を表示している液晶に最大明度（最大輝度）となるための電圧信号を与えたときに、第１サブフレーム期間内で、液晶の電圧が、電圧信号の電圧における９０％以上の値に到達する。
(d)最大明度（最大輝度）を表示している液晶に最小明度（最大輝度）となるための電圧信号を与えたときに、第１サブフレーム期間内で、液晶の電圧が、電圧信号の電圧における５％以下の値に到達する。
なお、上記の電圧信号は、表示信号に応じて液晶に与えられる信号のことである。
【０２９６】
また、通常ホールド表示では、制御部は、液晶パネルを、交流により駆動することが好ましい。これは、交流駆動とすることにより、フレーム毎に、画素の電荷極性（液晶を挟む画素電極間の電圧（電極間電圧）の極性の向き）を変えられるからである。
【０２９７】
直流駆動とすると、電極間に偏った電圧がかかるため、画素電極に電荷がたまる。そして、この状態が続くと、電圧を印加していないときでも、電極間に電位差が発生した状態（いわゆる焼き付きという状態）になってしまう。
【０２９８】
ここで、本表示装置のようなサブフレーム表示を行う場合、サブフレーム間で、画素電極間に印加される電圧値（絶対値）が異なることが多い。
【０２９９】
従って、電極間電圧の極性をサブフレーム周期で反転させると、第１サブフレームと第２サブフレームとの電圧値の違いにより、印加される電極間電圧に偏りが生じる。このため、液晶パネルを長時間駆動させると、電極に電荷がたまり、上記した焼き付きやフリッカなどの発生する可能性がある。
従って、本表示装置では、電極間電圧の極性をフレーム周期で反転させることが好ましい。
【０３００】
この方法は、１フレームをｍサブフィールドに分割する場合に対しても有効であり。また、１フレームを２サブフィールドに分割し、その分割比を１：ｎの比で分割する場合に対しても有効である。
例えば、電極間電圧の極性をフレーム周期で反転させる方法は２つある。
１つの方法は、液晶に印加する電圧極性を、第１サブフレームと第２サブフレームとで等しくする（１フレームの間、液晶に同極性の電圧を印加する）一方、隣接するフレーム間で変える方法である。
【０３０１】
また、もう１つの方法は、液晶に印加する電圧極性を、１フレーム内の２つのサブフレーム間で変える一方、１つのフレームの第１サブフレームと、この第１サブフレームに隣接する他のフレームの第２サブフレームとで等しくする方法である。
これらのように、フレーム周期で電極間電圧を交流化することにより、サブフレーム間で電極間電圧が大きく異なっていても、焼き付きやフリッカを防止できる。
【０３０２】
なお、本表示装置では、制御部は、通常、外部から入力される画像信号、および、画像信号と表示信号との対応表を利用して、表示部に入力する表示信号を生成するものである。
ここで、上記の対応表は、通常、ＬＵＴ（look-up table）と呼ばれるものである。
【０３０３】
ところで、液晶パネルなどの表示画面（表示パネル）は、環境温度（表示部のおかれている環境の温度（気温））により、その応答特性や階調輝度特性の変化するものである。このため、画像信号に応じた最適な表示信号も、環境温度に応じて変化する。
【０３０４】
そこで、本表示装置に、互いに異なる温度範囲に応じた複数の対応表（ＬＵＴ）を備えておくことが好ましい。
そして、制御部が、環境温度に応じた対応表を選択して使用するように設計されていることが好ましい。
【０３０５】
この構成では、画像信号に対してより適切な表示信号を表示部に伝達できる。従って、想定される全ての温度範囲（例えば０℃〜６５℃の範囲）で、より忠実な輝度（明度）での画像表示を行うことが可能となる。
【０３０６】
また、本表示装置の表示画面を液晶パネルとする場合、本表示装置と画像信号入力部とを組み合わせることで、パーソナルコンピューターなどに使用される液晶モニターを構成することが可能である。
【０３０７】
ここで、画像信号入力部とは、外部から入力された画像信号を制御部に伝達するためのものである。
この構成では、本表示装置の制御部が、画像信号入力部から伝達された画像信号に基づいて、表示信号を生成して表示部に出力することとなる。
【０３０８】
また、本表示装置の表示画面を液晶パネルとする場合、本表示装置とチューナ部とを組み合わせることで、液晶テレビジョン受像機を構成することも可能である。
【０３０９】
ここで、チューナ部とは、テレビ放送信号のチャネルを選択し、選択されたチャネルのテレビ画像信号を制御部に伝達するためのものである。
この構成では、本表示装置の制御部が、チューナ部から伝達されたテレビ画像信号に基づいて表示信号を生成して表示部に出力することとなる。
【０３１０】
また、本発明の表示方法（本表示方法）は、１フレームを、第１および第２サブフレームからなる２つのサブフレームに分割して画像表示を行う表示方法において、
１フレームに表示部から出力される輝度の総和をフレームの分割によって変えないように、第１サブフレームの表示信号である第１表示信号と、第２サブフレームの表示信号である第２表示信号とを生成し、倍クロックで表示部に出力する出力工程を含み、
この出力工程が、
低明度の画像を表示する場合に、第１表示信号の輝度階調を調整する一方、第２表示信号の輝度階調を最小とし、
高明度の画像を表示する場合に、第１表示信号の輝度階調を最大とする一方、第２表示信号の輝度階調を調整し、
さらに、第１サブフレームの期間と第２サブフレームの期間との比を、１：ｎ（ｎは１以上の自然数）とするようにフレームを分割するように設定されていることを特徴とする方法である。
また、上記のｎについては、１あるいは２、または、３〜７の範囲の自然数とすることが好ましい。
【０３１１】
本表示方法は、上記した本表示装置によって使用されている表示方法である。
従って、本表示方法では、通常ホールド表示を行う構成に比して、１フレームでのズレを約半分に減らすことが可能となり、このズレに起因する白浮き現象を抑制できる。
【０３１２】
また、本発明の表示プログラムは、表示画面（液晶パネルなど）を備えた表示部を有するコンピューターに、本表示方法の出力工程を実行させるものである。
上記のようなコンピューターにこのプログラムを読み込ませることで、本表示方法の出力工程を、そのコンピューターによって実現することが可能となる。
また、このプログラムをコンピューターによって読取可能な記録媒体に記録させておくことで、プログラムの保存・流通を容易に行えるようになる。
【０３１３】
上記した本発明の実施形態については、どのように組み合わせて用いてもかまわない。これらの組み合わせのそれぞれも、本発明の範囲である。例えば、１つの組み合わせとしては、画像信号の階調レベルを供給する工程と、この画像信号を上記階調レベルで表示する工程とを含み、画像信号のフレームが複数のサブフレームからなり、少なくとも２つのサブフレームの期間が互いに異なっている、表示装置の駆動方法を挙げられる。
【０３１４】
また、他の組み合わせとしては、画像信号の階調レベルを供給するように設定された制御部と、供給された階調レベルで画像信号を表示するように設定された表示部とを備え、画像信号のフレームが複数のサブフレームからなり、少なくとも２つのサブフレームの期間が互いに異なっている、画像信号の画像を表示する装置を挙げられる。
【０３１５】
さらに他の組み合わせとして、フレームが複数のサブフレームに分割されており、少なくとも２つのサブフレームの期間が互いに異なっている画像信号の階調レベルを供給する工程と、供給された画像信号の極性を、サブフレーム数が奇数である場合にはサブフレーム周期で反転させる一方、サブフレームが偶数である場合にはフレーム周期で反転させる工程と、画像信号の極性がどのような状態にあっても、供給された階調レベルで画像信号を表示する工程と、を含んでいる表示装置の駆動方法も挙げられる。
【０３１６】
さらに他の組み合わせとして、フレームが複数のサブフレームに分割されており、少なくとも２つのサブフレームの期間が互いに異なっている画像信号の階調レベルを供給するように設定された制御部と、供給された画像信号の極性を、サブフレーム数が奇数である場合にはサブフレーム周期で反転させる一方、サブフレームが偶数である場合にはフレーム周期で反転させるように設定されているとともに、画像信号の極性がどのような状態にあっても、供給された階調レベルで画像信号を表示する表示部とを有する、画像信号の画像を表示する装置を挙げられる。
【０３１７】
さらに他の組み合わせとして、フレームが複数のサブフレームに分割された画像信号の階調レベルを供給する工程と、各画素が少なくとも２つの副画素を有する副画素構造を含んでいる画像表示部によって、供給された階調レベルで画像信号を表示する工程とを含み、補助信号の位相が画像信号の極性に応じて変化し、これらの位相および極性が、サブフレーム数が奇数である場合にはサブフレーム周期で反転する一方、サブフレームが偶数である場合にはフレーム周期で反転する、表示装置の駆動方法を挙げられる。
【０３１８】
さらに他の組み合わせとして、フレームが複数のサブフレームに分割された画像信号の階調レベルを供給する制御部と、各画素が少なくとも２つの副画素を有する副画素構造を有し、供給された階調レベルで画像信号を表示する表示部とを含み、供給された画像信号の極性に応じて、補助的に供給された信号の位相が変化し、これらの位相および極性が、サブフレーム数が奇数である場合にはサブフレーム周期で反転する一方、サブフレームが偶数である場合にはフレーム周期で反転する、画像信号の画像を表示する装置を挙げられる。
【０３１９】
また、本発明は、視野角特性を持つホールド型の画像表示装置、例えば液晶を使用した液晶表示装置において、視野角による階調γ特性の変化を改善するものであるともいえる。また、本表示装置は、前半および後半の２つのサブフレーム期間に表示される輝度の時間積分の総量によって１フレーム期間の画像表示が行われ、いくつかのドメインに分割された垂直配向(ＶＡ)モードの液晶パネルに対し、サブフレームのうちのどちらか一方が最小(黒表示)もしくは最大(白表示)輝度であるような輝度の分配をし、もう一方のサブフレームにおいて表示輝度に対しての残りの輝度を表示する構成であるともいえる。
【０３２０】
また、本表示装置の動作を、以下のように表現することもできる。すなわち、ＲＧＢデータ信号（画像信号）が通常のクロック周期、たとえば２５ＭＨｚで送られてくるのをフレームメモリ（Ｆ．Ｍ．）１１に蓄える。このフレームメモリに蓄えられたデータを通常クロック周期の２倍の周波数のクロックによりフレームメモリから出力する。その出力されたＲＧＢデータをＬＵＴ（look-up table）により前サブフレームデータ（前段表示信号）と後サブフレームデータ（後段表示信号）へ変換し、前後のサブフレームに対してパネル（表示部）への出力を変換し、通常クロック周期の２倍のＣＬＫ（クロック）周波数でパネルに表示させる。
【０３２１】
また、画像信号を２つのサブフレームに変換する場合、表示周波数を２倍の速度に変換する必要があり、そのためデータ信号も２倍の周波数で伝送する必要があるが、本表示装置では、データをフレームメモリに蓄え、そのデータを倍の周波数で読み出すことにより、データ信号を倍の周波数に変換し、この倍の周波数となったデータを２回同じデータを出力し、ＬＵＴにより前サブフレームデータ、後サブフレームデータへ変換しているといえる。
【０３２２】
また、実際のパネルでは、単純に（１）式のような変換式で表されるようにはなっておらず、また階調０の場合でも輝度が存在し、さらに液晶パネルの場合、その輝度へ到達するまでに有限な応答時間が存在する。従って、実際にサブフレームデータ変換はそれらを加味するため、実測により値を測定し、変換することが好ましい。
【０３２３】
また、次にサブフレームの期間を等分ではなく１：３に分割する場合の動作を以下のようにも表現できる。すなわち、画像信号（ＲＧＢ）データがフレームメモリへ入力される。フレームメモリからクロック周波数が倍でデータを読みだす。フレームメモリの入出力データの関係を図４に示す。図４のように前サブフレームのデータと後サブフレームのデータの読み出しタイミングをずらすことにより、そのサブフレームの表示期間の割合を変更する。１：３の割合の場合のゲートタイミングを図５に示す。この２つのサブフレームの輝度積分総和によってフレーム輝度が表示される。同様な方法により、１：３だけではなくあらゆる割合の２分割表示が可能となる。
【０３２４】
また、人間の視覚特性は、輝度に対して線形ではなく、その特性は、明度指数Ｍとして表され、（５）（６）式で表される（非特許文献１参照）。つまり、輝度に対して中間になるところで分配するよりも、明度指数値の中間値において分配したほうが、視覚的には、斜め方向からのγ値のズレが改善されることになる。画像表示装置では、この明度指数値の近似として式(１)のような階調輝度特性により階調輝度信号が輝度に変換され表示され、そのγは２．２から３の間の値が使われることが多い。
【０３２５】
従って、これらのγに合わせた階調の中間値での値で分割するのが望ましく、その値は時間比としておおよそ、１：３から１：７の間となる。期間の割合としてフレーム内において前サブフレームが３であり、後サブフレームが１の表示期間割合とする場合、前サブフレームが輝度最小であるかもしくは後サブフレームが最高輝度出力をし、その積分総和によりフレーム表示輝度の階調輝度表示をする。その場合ある閾値階調出力までは前サブフレームは最小出力(０)となり、その閾値階調出力以上の場合、後サブフレームは最高出力(８ビットの場合２５５出力)となる。その閾値階調Ｌｔは、(１)式より、（７）式のようになる。
【０３２６】
出力階調値（フレーム階調）ＬがＬｔ以下の場合、前サブフレームの出力階調値は最小出力(０)にＬＵＴで変換し、後サブフレームの出力階調値（輝度階調）Ｒは（８）式のようになる。出力階調値ＬがＬｔ以上の場合は、前サブフレームの出力階調値（輝度階調）ＦをＬＵＴにより（９）式のようにし、後サブフレームの値を最高出力（８ビット出力の場合２５５出力）と変換し、出力する。但し、前述したように実際の表示装置においては、必ずしも階調輝度特性が式(１)となってはいないため、実際のこれら値に関しては実測によりその変換値を決めることが必要となる。
【０３２７】
また、液晶パネルは温度により、応答特性、階調輝度特性が変わるため、ＬＵＴを温度ごとに用意し値を変化させ、より忠実な輝度を表示させることができる（図８にＬＵＴを３つ持つ場合のブロック図を示す）。さらにまた、階調電圧の細かい設定ができるようにするためには、分割駆動用にドライバ出力を設定し出力電圧を決めることが望ましい。液晶パネルを駆動するドライバは階調データに対して、液晶パネルの輝度がおよそγ＝２．２になるように出力電圧が設定されている。そのため、分割駆動をすると単に階調データを足し合わせただけではγ特性に合った出力が得られない可能性がある。サブフレーム駆動する場合は、分割した輝度に換算した階調を出力することが好ましい。従って、１フレームのホールド状態で設定したドライバの出力電圧値では、階調が表現しきれない場合があるので、分割駆動用の電圧設定をしたドライバを用いることが好ましい。
【０３２８】
また、フレームを１：３〜１：７に分割にしたほうが白浮きを改善できる理由を、以下のように述べることも可能である。すなわち、白浮きの現象は、正面に対して斜め方向から見た各階調の出力輝度が、図２のような特性を持つことにより、映像が白く浮いて見える現象のことである。人間の視覚感覚は輝度に対して、（５）（６）式のような特性を持っており、輝度的に暗い映像に対して敏感であり、明るい映像に対しては鈍感になっていく傾向がある。従って、映像信号（画像信号）は、人間の特性に近い値として、輝度に対してγ＝２．２をかけ、均等割りして階調信号を作っている（式（５），（６）を近似するとγ（（６ａ）式のα）は２．５程度になる）。
【０３２９】
ＴＶセットとして映像を作成する場合、その信号に対してさらに絵作りとしてそのγをきつく（値を高く）したり、黒・白信号をつぶしたりの処理をして、視覚的にインパクトのある映像にしたりする。そして、実際そのような映像を見ると映像が強調されて見え感覚的にくっきりした映像のように感じられる。つまり、白浮きに対する人間の視覚は、輝度ではなく、（５）（６）式によってＭに変えたものとして受け取っていると考えられる。αをかけた値（（５）（６）式に近い感覚）として受け取っていると考えられる。従って、人間の感覚にあわせると、改善の効果をより大きくするには、明度として５０％となるところで分割することが、望ましい。
【０３３０】
（５）（６）式を（１）式と同形の（６ａ）式に近似する場合、α＝２．２〜３の間（２．４程度）で近似される。そのα変換を行った値が５０％となる分割は、α＝２．２のときはおよそ１：３、α＝３．０のときはおよそ１：７となる。従って、分割割合として１：３〜１：７が望ましいと考えられる。すなわち、（５）、（６）式を実際のＴＶやディスプレイとしては、輝度（出力）をＹとすると（６ａ）式のように簡略化される。ここで、Ｙはディスプレイの表示輝度（出力）である。αは２．２から３の間の値となる。このαが２．２のとき、分割割合は１：３程度であり、α＝３の時が分割割合が１：７となる。
【０３３１】
従って、分割は均等に分割するよりも、１：３〜１：７の割合で行うのが最も効果的であるといえる。なお、２．２と３に厳密な意味はないが、人間の感覚としてその間にあれば、ほぼ感覚として妥当だと言われている値である。従って、２．２から３の間の明度５０％となるところで分割するのも妥当だと考えられる。なお、それ以外の部分であっても、例えば均等割合でも充分に効果はある。
【０３３２】
また、フレームを１：ｎの割合に分割する場合、時分割の方法としては、サブフレームの数を増やしてその総数に対する出力の割合として分割する方法（１：ｎの割合に分割する場合ｎ＋１のサブフレームに分割しその出力を１つのサブフレームとｎのサブフレームに分けて出力する方法）もあるが、それではデータ転送などの周波数が高くなり実際の製品として実現が難しくなる。従って、液晶パネルのゲートタイミングの割合を変更することにより、時分割の割合を実現することが好ましい。
【０３３３】
画素数がａ×ｂのアクティブマトリックス（ＴＦＴ）液晶パネルの画像出力は、ソースにａ個（１ライン分）のデータをストアーし、ゲートが出力するタイミングで１ラインのデータを書き込み、画素のデータを変えて行き、１番目のラインから順にｂ番目のラインまで線順次で書き込みを行い、１画面のデータを書き換える。時分割駆動で、１フレーム期間に画素に２回データを書き込むには、倍の周波数でデータを転送しゲートＯＮ期間を半分にし、１番目のラインからｂ番目のラインのデータをハーフフレームの期間で書き込み、さらに１番目のラインからｂ番目のラインの書き込みを行う。
【０３３４】
このように１ライン目から順にｂ番目のラインのゲートをＯＮしていく場合には、画素に書き込まれるデータは、１フレーム期間の前半半分と後半半分の均等の時間出力することになり均等な時分割の出力が実現される。画素の出力が時間均等になるのは、ゲートのＯＮが１フレーム期間に対してフレーム期間の半分でＯＮされるためであり、従って、出力データに対するゲートＯＮタイミングを上記均等分割に対して、変えることにより分割割合を変えることができる。
【０３３５】
また、１：３の割合に分割するには図５に示すように、前半サブフレーム入力のゲートＯＮに対して３／４フレーム期間後にゲートをＯＮし、後半サブフレームの出力を行います。３／４番目のラインの前半サブフレームデータ出力に対するゲートＯＮの後、１番目のラインの後半サブフレームのデータ出力に対するゲートＯＮを行い、次に３／４＋１番目のラインの前半サブフレームのデータ出力のためのゲートＯＮを行い、その次に２番目のラインの後半サブフレームデータ出力に対するゲートＯＮをする。
このように３／４フレーム後に交互に順次ゲートをＯＮすることにより出力期間の割合を変更できる。もちろん、フレームメモリに蓄えられたデータは、ゲートタイミングにあわせて出力することになる。
【０３３６】
また、図２５に示した極性反転の方法を、「３つのサブフレーム間で交互に極性反転を行う一方、次の３フレームは逆極性で極性反転を行う」とも表現できる。
【０３３７】
また、本発明を、以下の第１〜第１２画像表示装置として表現することもできる。すなわち、第１画像表示装置は、１フレームの表示期間をｍ個のサブフレームに分割し、該ｍ個のサブフレームの輝度の積分の総和が１フレームの輝度となり、かつ該ｍサブフレーム積分輝度は、ｍ個のサブフレームの斜め方向の輝度の総和が１フレーム表示した場合の正面輝度からのズレよりも少なくなるようなサブフレームの輝度の割合を分配する構成である。これにより、斜め方向から見た際の白浮きが抑制され、視野角特性を持つホールド型の画像表示装置、例えば液晶を使用した液晶表示装置において、視野角による階調γ特性の変化を改善できる（分割することにより斜め方向の白浮きが改善される）。
【０３３８】
また、第２画像表示装置は、第１画像表示装置において、斜め方向の階調輝度特性が図３のような特性を持つパネルの場合に、１フレームの表示期間をｍ個のサブフレームに分割し、ｍ個のサブフレームの輝度の総和が１フレームの輝度となり、かつ１フレーム内のｍ個のサブフレームの輝度が１つを除いて全て最小であるかもしくは最大である構成である。これにより、正面と斜め方向とのズレが０である最小もしくは最大の輝度レベルとすることができ、正面とズレが１サブフレームだけのズレになり、斜め方向から見た際の白浮きが１／ｍ倍に抑制され、視野角特性を持つホールド型の画像表示装置、例えば液晶を使用した液晶表示装置において、視野角による階調γ特性の変化を改善できる（最大輝度、最小輝度は正面からのズレが０であるためその輝度をサブフレームに使うことにより１フレームの積分輝度の正面からのズレが軽減される）。
【０３３９】
また、第３画像表示装置は、第１画像表示装置において、１フレームの表示時間を２つのサブフレームに分割し、２つのサブフレームの輝度の積分の総和が１フレームの輝度となるものである。２つのサブフレームに分割することにより、視野角特性の改善が見込まれ、その２つのサブフレームの輝度割合の分配の仕方は、斜め方向からのγ特性が正面からみて改善される分配の仕方である。
【０３４０】
例えば、斜め方向の階調γ特性のズレが、図２のようなＶＡモードパネルを用いた場合、階調輝度が最小もしくは最大の場合に正面とのズレが０であり、最もずれが少なくなる。その輝度最小と最大の場合と組み合わせることにより、正面からのγ特性のズレを軽減させることができる。
【０３４１】
そのため、サブフレームのうちどちらか一方を最小(黒)もしくは最大(白)輝度であるような輝度の分配をすることにより、斜め方向の階調輝度積分の正面階調積分輝度のズレ量は、片側のサブフレームのズレ量が０であるため、１／２倍となり図３のようにその斜め方向の階調輝度γ特性が改善され、視野角特性を持つホールド型の画像表示装置、例えば液晶を使用した液晶表示装置において、視野角による階調γ特性の変化を改善できる（分割数を２つにすることにより回路が単純になり、白浮き改善の効果も得られる）。
【０３４２】
また、第４画像表示装置は、第１画像表示装置において、１フレームの表示時間を２つのサブフレームに分配し、その時間分配の期間が前後で異なる場合であり、２つのサブフレームの輝度の積分の総和が１フレームの輝度となり、かつ２つのサブフレーム積分輝度は、２つのサブフレームの斜め方向の輝度の総和が１フレーム表示をした場合の正面輝度からのズレよりも少なくなるようなサブフレーム輝度の割合を分配し、その分配の方法は、どちらかのサブフレームの輝度がサブフレーム内で時間配分が短い方のサブフレームが最大となるかもしくは時間配分が長い方が最小となっている分配の仕方とする。
【０３４３】
また、その時間配分の仕方は、短い期間のサブフレームの輝度が最大で長い期間のサブフレームの期間が最小の場合の１フレームの階調輝度の階調輝度γ特性を２．２〜３とした時の中間の階調値(最大２５５階調の場合、１２８)以下となるような時間配分とする。これにより、斜め方向の黒側の階調輝度のズレが時間期間を均等に分割する場合よりも小さく抑えられ、人間の視覚特性に合ったズレの改善が行われる（２つのサブフレーム期間を不均等にすることによりズレの大きなところを小さくする組み合わせができるようになる）。
【０３４４】
また、第５画像表示装置は、第４画像表示装置において、そのサブフレームの期間割合が、１：３から１：７の間である割合となることを特徴とする。これにより、２つのサブフレーム期間の割合を１：３から１：７にすることにより、視覚特性に合った分割の仕方で白浮きの改善効果が得られるようになる。
【０３４５】
また、第６画像表示装置は、第１〜第５画像表示装置のいずれかであって、斜め方向からの階調特性が正面輝度階調ガンマ特性に対してその角度によりシフトする垂直モード（ＶＡ）パネルを使ったことを特徴とする。これにより、ＶＡ(ＭＶＡ)モードのパネルは斜め方向で白浮きが大きいため、この効果が顕著に現れるので効果が大きい。
【０３４６】
また、第７画像表示装置は、第１〜第５画像表示装置のいずれかであって、斜め方向からの階調特性が正面の階調輝度γ特性に対してその角度によりシフトするＮＢ(Normally Black)パネルを使ったことを特徴とする。
また、第８画像表示装置は、第１〜第５画像表示装置のいずれかであって、斜め方向からの階調特性が正面の階調輝度γ特性に対して、その角度変化時に全ての階調で明るい側へシフトしている液晶パネルを使った液晶ＴＶであることを特徴とする。
【０３４７】
また、第９画像表示装置は、第１〜第８画像表示装置のいずれかであって、温度により上記サブフレームの輝度分配を変化させるもので、低温度での液晶の応答がサブフレーム内で目標到達輝度（例えば９５％）へ到達しない場合においてはそのサブフレーム間の輝度差を小さくしサブフレーム期間内にその目標輝度に対して応答できる輝度割合となるように分配し、さらに正面における階調輝度γ特性が変化しないように分配を調節する。
【０３４８】
また、液晶応答時間が１フレーム以上となる場合は、サブフレーム間で液晶の応答変化が少なくなるように輝度差がない分配とし、さらに正面の階調γ特性においても階調輝度γ特性が温度により変化しないようサブフレームの配分を調節することにより、例えば周囲温度の変化によって液晶の応答速度が変化した場合であっても、その周囲温度にあった諧調特性が得られ、視野角特性を持つホールド型の画像表示装置、例えば液晶を使用した液晶表示装置において、視野角による階調γ特性の変化を改善できる（液晶の応答が遅い場合、サブフレーム期間において最大輝度、最小輝度への到達ができなくなるため、応答性が少なくとも上記程度なければ白浮き改善の効果は軽減する）。
【０３４９】
また、第１０画像表示装置は、第１〜第９画像表示装置のいずれかであって、フレームを２つのサブフレームに分割し駆動する、ＴＦＴ液晶駆動装置において、その画素への印加電圧極性が１フレーム内で同一極性であるかもしくは、印加電圧極性が１フレーム内のサブフレームで異なり、前フレームの後サブフレームと表示フレームの前サブフレームの印加電圧極性が同一極性である構成である。
これにより、印加電圧の極性が不均一になり、フッリカや焼き付きが防止され、視野角特性を持つホールド型の画像表示装置、例えば液晶を使用した液晶表示装置において、視野角による階調γ特性の変化を改善できる（上記のように極性反転することにより焼き付き、フリッカが軽減される）
また、第１１画像表示装置は、第１〜第９画像表示装置のいずれかであって、１フレームを２つのサブフレームに分割し、そのサブフレーム輝度の積分の総和が１フレームの階調輝度となる画像表示装置において、そのフレーム内のサブフレームの画素に印加する電圧の極性が異なり、さらに前フレームの後サブフレームとその次フレームの前サブフレームの極性が同極性となる駆動することを特徴とする。これにより、上記のように極性反転することにより焼き付き、フリッカが軽減される。
【０３５０】
また、第１２画像表示装置は、第１〜１１画像表示装置のいずれかであって、上記画像表示装置が、液晶表示装置であることを特徴とする。
また、第１３画像表示装置は、液晶パネルの応答特性が、白（最大輝度）−黒（最小輝度）応答させた場合、サブフレーム期間内に白を１００％、黒を０％とした場合の輝度比で、白（最大輝度）への輝度の到達が９０％以上であり、黒への到達が５％以内である場合にのみ第１〜第５画像表示装置の駆動方法を用い、同一のパネルにおいて例えば温度が変化することにより応答特性が上記範囲外になった場合には、１フレーム内のサブフレーム輝度分配を均等とする構成である。
また、第１画像表示装置の駆動方法は、第１〜１２画像表示装置のいずれかで使用されている駆動方法である。
【０３５１】
また、上記の第１２画像表示装置に関する構成としては、図８のようにある温度範囲に対する設定のＬＵＴをいくつかもつことにより、全ての温度範囲（例えば０℃から６５℃まで）に対応できるようにする。また、時分割駆動するほうが、通常駆動する場合よりも白浮きが悪くなる場合（応答が遅くなった場合）は時分割のサブフレーム出力を前後のサブフレームで同じ出力にし、白浮きの程度を通常駆動と同じにする。
【０３５２】
すなわち、通常ホールドモードのＴＦＴ液晶パネル表示ではある階調に対して１つの液晶状態が対応する。従って、液晶の応答特性は出力階調に対して関係しない。しかしながら、本案の時分割駆動をする（２つに均等分割）場合、中間調表示（前サブフレームが０、後サブフレームが２５５（最大）出力の場合）は図１０（ａ）のようになり、液晶が応答特性を有するため、図１０（ｂ）の黒太線Ｘのように出力される。
【０３５３】
白浮きを改善する前提としては、２つに分割したサブフレームのどちらかが黒（最小輝度）もしくは白（最大輝度）であることが好ましい。しかしながら、液晶の応答性が遅くなった場合の中間調表示では、図１０（ｃ）のようになり、サブフレームにおいて黒（最小輝度）、白（最大輝度）が出力できなくなる。応答できない分、出力輝度は黒もしくは白から離れ、図１１に示すように、斜め方向からの出力表示が浮くことになる。この浮きを抑えるには、応答がある程度以上（第１３画像表示装置）であることが好ましい。
【０３５４】
また、本発明によれば、ＶＡモードのパネルのように斜め方向からの視野角特性が図ａのような階調輝度特性となる場合において、１フレームをサブフレームに分割し、サブフレームの輝度の積分の総和が１フレームの輝度の値となり、その輝度の分配を１つのサブフレームを除いて全てのサブフレームで階調輝度特性が正面と同じとなる最小（黒）もしくは最大（白）となるように配分することにより、そのズレの値がサブフレーム数割で分割されるため、斜め方向の階調輝度特性が正面の特性に近づくことにより視野角による画像の印象のズレが改善される。
【０３５５】
さらに、温度変化による液晶の応答時間の変化によりγ特性が変化することをサブフレーム間の輝度割合を調節することにより変化させ、その温度に適切な階調特性にあわすことができる。さらに、その画素への印加電圧極性が同一極性であるかもしくは、フレーム内のサブフレーム電圧極性が異なり、前フレームの後サブフレームと表示フレームの前サブフレームで電圧極性が同じであることにより、印加電圧極性の正負割合が均一になり、サブフレーム分割駆動時に焼き付き、フリッカなどが起こらなくなる。
【産業上の利用可能性】
【０３５６】
本発明は、白浮き現象の生じる表示画面を備えた装置に対し、好適に使用できるものである。
【図面の簡単な説明】
【０３５７】
【図１】本発明の一実施形態にかかる表示装置の構成を示すブロック図である。
【図２】通常ホールド表示の場合に液晶パネルから出力される表示輝度（予定輝度と実際輝度との関係）を示すグラフである。
【図３】図１に示した表示装置においてサブフレーム表示を行う場合に液晶パネルから出力される表示輝度（予定輝度と実際輝度との関係）を示すグラフである。
【図４】図４（ａ）は、図１に示した表示装置のフレームメモリに入力される画像信号を示す説明図であり、図４（ｂ）は、３：１に分割する場合における、フレームメモリから前段ＬＵＴに出力される画像信号を示す説明図であり、図４（ｃ）は、同じく後段ＬＵＴに出力される画像信号を示す説明図である。
【図５】図１に示した表示装置においてフレームを３：１に分割する場合における、前段表示信号と後段表示信号とに関するゲートラインのＯＮタイミングを示す説明図である。
【図６】図３に示した輝度のグラフを明度に変換したものを示すグラフである。
【図７】図１に示した表示装置においてフレームを３：１に分割した場合における、予定明度と実際明度との関係を示すグラフである。
【図８】図１に示した表示装置の構成を一部変更した表示装置を示す説明図である。
【図９】図９（ａ）（ｂ）は、電極間電圧の極性をフレーム周期で反転させる方法を示す説明図である。
【図１０】図１０（ａ）〜（ｃ）は、液晶の応答速度を説明するための図である。
【図１１】応答速度の遅い液晶を用いてサブフレーム表示を行う場合に、液晶パネルから出力される表示輝度（予定輝度と実際輝度との関係）を示すグラフである。
【図１２】図１２（ａ）は、表示輝度がＬｍａｘの３／４および１／４の場合に、前サブフレームおよび後サブフレームによって表示される輝度を示すグラフである。図１２（ｂ）は、液晶に印加される電圧（液晶電圧）の極性をサブフレーム周期で変えた場合の、液晶電圧の遷移状態を示すグラフである。
【図１３】図１３（ａ）（ｂ）は、電極間電圧の極性をフレーム周期で反転させる方法を示す説明図である。
【図１４】図１４（ａ）〜（ｄ）は、液晶パネルにおける４つの画素と、各画素の液晶電圧の極性を示す説明図である。
【図１５】画素分割で駆動される液晶パネルの構成を示す説明図である。
【図１６】図１６（ａ）（ｃ）は、ソースラインＳに正（≧Ｖｃｏｍ）の表示信号が印加された場合における、副画素の液晶容量に印加される電圧（液晶電圧）を示すグラフである。また、図１６（ｂ）（ｄ）は、ソースラインＳに負（≦Ｖｃｏｍ）の表示信号が印加された場合における、副画素の液晶容量に印加される電圧（液晶電圧）を示すグラフである。
【図１７】画素分割駆動を行わない場合における、２つの視野角（０°（正面）および６０°）での、液晶パネル２１の透過率と印加電圧との関係を示すグラフである。
【図１８】図１８（ａ）は、１フレームごとに液晶電圧の極性を反転させながらサブフレーム表示を行う場合における、液晶電圧（１画素分）の変化を示すグラフである。図１８（ｂ）は、画素分割駆動において輝度の高くなる副画素（明画素）の液晶電圧を示すグラフである。また、図１８（ｃ）は、同じく輝度の低くなる副画素（暗画素）の液晶電圧を示すグラフである。
【図１９】図１９（ａ）（ｂ）は、図１８（ｂ）（ｃ）に対応する、明画素および暗画素の輝度を示すグラフである。
【図２０】図２０（ａ）（ｂ）は、フレーム周期で極性反転を行う場合における、明画素および暗画素の輝度を示すグラフである。
【図２１】サブフレーム表示，極性反転駆動および画素分割駆動を組み合わせて表示を行った結果（破線および実線）と、通常ホールド表示を行った結果（一点鎖線および実線）と合わせて示すグラフである。
【図２２】図２２（ａ）（ｂ）は、サブフレーム周期で極性反転を行う場合における、明画素および暗画素の輝度を示すグラフである。
【図２３】均等な３つのサブフレームにフレームを分割して表示を行った結果（破線および実線）と、通常ホールド表示を行った結果（一点鎖線および実線）と合わせて示すグラフである。
【図２４】フレームを３つに分割し、フレームごとに電圧極性を反転した場合における、液晶電圧の遷移を示すグラフである。
【図２５】フレームを３つに分割し、サブフレームごとに電圧極性を反転した場合における、液晶電圧の遷移を示すグラフである。
【図２６】輝度を調整しないサブフレームにおける、表示部に出力される信号階調（％；表示信号の輝度階調）と、各信号階調に応じた実際輝度階調（％）との関係（視野角階調特性（実測））を示すグラフである。
【符号の説明】
【０３５８】
１１  フレームメモリ（画像信号入力部）
１２  前段ＬＵＴ
１３  後段ＬＵＴ
１４  表示部
１５  制御部
１６  温度センサー
２１  液晶パネル
２２  ゲートドライバー
２３  ソースドライバー
３１  ＴＦＴ
３２  液晶容量
３３  補助容量
３４  寄生容量
ＣＳ１・ＣＳ２  補助容量配線
Ｇ    ゲートライン
Ｌ    フレーム階調
Ｌｔ  閾値階調
Ｆ    前サブフレーム（前段表示信号）の輝度階調
Ｒ    後サブフレーム（後段表示信号）の輝度階調
Ｍ    明度（明度指数）
Ｐ    画素
Ｓ    ソースライン
ＳＰ１・ＳＰ２  副画素
Ｔ    表示輝度
【図１】
2005234552.tif 000004
【図２】
2005234552.tif 000005
【図３】
2005234552.tif 000006
【図４】
2005234552.tif 000007
【図５】
2005234552.tif 000008
【図６】
2005234552.tif 000009
【図７】
2005234552.tif 000010
【図８】
2005234552.tif 000011
【図９】
2005234552.tif 000012
【図１０】
2005234552.tif 000013
【図１１】
2005234552.tif 000014
【図１２】
2005234552.tif 000015
【図１３】
2005234552.tif 000016
【図１４】
2005234552.tif 000017
【図１５】
2005234552.tif 000018
【図１６】
2005234552.tif 000019
【図１７】
2005234552.tif 000020
【図１８】
2005234552.tif 000021
【図１９】
2005234552.tif 000022
【図２０】
2005234552.tif 000023
【図２１】
2005234552.tif 000024
【図２２】
2005234552.tif 000025
【図２３】
2005234552.tif 000026
【図２４】
2005234552.tif 000027
【図２５】
2005234552.tif 000028
【図２６】
2005234552.tif 000029